(57)【要約】【課題】ウェアラブルデバイス、端末、およびサーバと使用するための、ウェアラブルデバイスを結び付けるための装置および方法が提示される。【解決手段】ウェアラブルデバイスによって実行される方法は、デバイス情報を端末へ提供する段階、サーバからデバイス証明書を受信する段階、および、対応するユーザアカウントを使用して支払を実行するためのデバイス証明書を記憶する段階を含む。サーバによって実行される方法は、ウェアラブルデバイスから端末を介して結び付け要求を受信する段階、デバイス識別情報に基づいてウェアラブルデバイスのデバイス証明書を生成する段階、および、デバイス証明書をウェアラブルデバイスへ提供する段階を含む。支払先デバイスによって実行される方法は、ウェアラブルデバイスの取引証明書を取得する段階、および、ウェアラブルデバイスの取引証明書および支払総額情報を含む支払回収要求をサーバへ送信する段階を含む。【選択図】図１
2019204556.tif 000002
【特許請求の範囲】
【請求項１】
ウェアラブルデバイスを結び付けるための方法であって、
前記ウェアラブルデバイスにより、前記ウェアラブルデバイスと端末との間に確立された接続に基づいて前記ウェアラブルデバイスのデバイス情報を前記端末へ提供する段階であって、前記デバイス情報はデバイス識別情報を含む、提供する段階と、
前記ウェアラブルデバイスにより、サーバからデバイス証明書を受信する段階であって、前記デバイス証明書は、前記デバイス識別情報に基づいて前記サーバにより生成され、前記デバイス証明書は、前記ウェアラブルデバイスと関連付けられたユーザアカウントに対応する、受信する段階と、
前記ウェアラブルデバイスにより、前記デバイス証明書を前記ウェアラブルデバイスに記憶する段階であって、前記デバイス証明書は、前記ウェアラブルデバイスが前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、記憶する段階と、
を備え、
前記支払操作は、
前記ウェアラブルデバイスにより、前記デバイス証明書に基づいて取引証明書を生成する段階と、
前記ウェアラブルデバイスにより、前記取引証明書を支払先デバイスへ提供する段階と
を有する、方法。
【請求項２】
前記ウェアラブルデバイスのデバイス情報を端末へ提供する段階は、前記端末がスキャンするための、前記デバイス情報を含む２次元コードを前記ウェアラブルデバイスの画面に表示する段階を有する、請求項１に記載の方法。
【請求項３】
サーバからデバイス証明書を受信する段階は、前記ウェアラブルデバイスと前記端末との間の前記接続を介して前記サーバから前記デバイス証明書を受信する段階を有する、請求項１または請求項２に記載の方法。
【請求項４】
前記ウェアラブルデバイスにより、認証要求を前記サーバへ送信する段階であって、前記認証要求は前記ウェアラブルデバイスの前記デバイス識別情報を含む、送信する段階をさらに備える、請求項１から請求項３のいずれか１項に記載の方法。
【請求項５】
サーバからデバイス証明書を受信する段階は、前記サーバから前記デバイス証明書およびセキュリティ証明書を受信する段階であって、前記セキュリティ証明書は、前記支払操作の間に前記デバイス証明書の検証を実行するために使用される、受信する段階を有する、請求項１から請求項４のいずれか１項に記載の方法。
【請求項６】
前記ウェアラブルデバイスにより、伝送の間に前記デバイス証明書を暗号化するために使用されるデバイス側キーおよびサーバ側キーを生成する段階と、
前記ウェアラブルデバイスにより、前記デバイス側キーを前記ウェアラブルデバイスに記憶する段階であって、前記デバイス側キーは、前記サーバ側キーと同一であるか、または、前記サーバ側キーに基づいている、記憶する段階と、
前記ウェアラブルデバイスにより、前記サーバ側キーを前記サーバへ伝送する段階と、
前記ウェアラブルデバイスにより、前記デバイス側キーを使用して、前記サーバから受信した前記デバイス証明書を復号化することによって復号化されたデバイス証明書を生成する段階であって、前記サーバからの前記デバイス証明書は、前記サーバ側キーを使用して前記サーバにより暗号化される、生成する段階と
をさらに備える、請求項１から請求項５のいずれか１項に記載の方法。
【請求項７】
前記デバイス証明書を記憶する前記段階は、
前記ウェアラブルデバイスにより、暗号化アルゴリズムを使用して前記デバイス証明書を暗号化し、暗号化テキストを作成する段階と、
前記ウェアラブルデバイスにより、前記暗号化テキストを前記ウェアラブルデバイスに記憶する段階と
を有する、請求項１から請求項６のいずれか１項に記載の方法。
【請求項８】
ウェアラブルデバイスを結び付けるための方法であって、
サーバにより、端末を介して前記ウェアラブルデバイスから結び付け要求を受信する段階であって、前記結び付け要求は、前記ウェアラブルデバイスのデバイス識別情報および前記ウェアラブルデバイスに関連付けられたユーザアカウント情報を含む、受信する段階と、
前記サーバにより、前記デバイス識別情報に基づいて前記ウェアラブルデバイスのデバイス証明書を生成する段階であって、前記デバイス証明書は、前記ウェアラブルデバイスに関連付けられたユーザアカウントに対応する、生成する段階と、
前記サーバにより、前記デバイス証明書と前記ウェアラブルデバイスに関連付けられた前記ユーザアカウントとの間の関係を記憶する段階と、
前記サーバにより、前記デバイス証明書を前記ウェアラブルデバイスへ提供する段階であって、前記デバイス証明書は、前記ユーザアカウントを使用して前記ウェアラブルデバイスが支払操作を実行することを可能にし、前記支払操作は、前記ウェアラブルデバイスと前記端末との間に確立された接続が検出されない場合、前記ウェアラブルデバイスにより実行され得る、提供する段階と
を備える方法。
【請求項９】
前記デバイス証明書を提供する前記段階は、前記端末を介して前記ウェアラブルデバイスへ前記デバイス証明書を送信する段階を有する、請求項８に記載の方法。
【請求項１０】
前記方法は、前記ウェアラブルデバイスにより、前記サーバへ送信されるサーバ側キーを生成する段階をさらに備え、
前記デバイス証明書を前記ウェアラブルデバイスへ提供する前記段階は、
前記サーバ側キーを使用して前記デバイス証明書を暗号化する段階と、
前記端末を介して、前記暗号化されたデバイス証明書を前記ウェアラブルデバイスへ送信する段階と
を有する、請求項９に記載の方法。
【請求項１１】
前記方法は、前記サーバにより、前記ウェアラブルデバイスが送信した認証要求を受信する段階であって、前記認証要求は、前記ウェアラブルデバイスの前記デバイス識別情報を含む、受信する段階をさらに備え、
前記デバイス証明書を前記ウェアラブルデバイスへ提供する段階は、前記認証要求に対する応答を前記ウェアラブルデバイスへ返す段階であって、前記応答は前記デバイス証明書を含む、返す段階を有する、請求項８に記載の方法。
【請求項１２】
前記認証要求は、前記ウェアラブルデバイスによって生成されたサーバ側キーをさらに含み、前記デバイス証明書は、前記サーバ側キーを使用して暗号化される、請求項１１に記載の方法。
【請求項１３】
前記デバイス証明書を前記ウェアラブルデバイスへ提供する段階は、セキュリティ証明書を前記ウェアラブルデバイスへ提供する段階であって、前記セキュリティ証明書は、前記支払操作の間に前記デバイス証明書に検証を実行するために使用される、提供する段階をさらに有する、請求項８から請求項１２のいずれか１項に記載の方法。
【請求項１４】
ウェアラブルデバイスを結び付けるための方法であって、
端末により、ウェアラブルデバイスと前記端末との間の接続を確立する段階と、
前記端末により、前記ウェアラブルデバイスのデバイス情報を取得する段階であって、前記デバイス情報は前記ウェアラブルデバイスのデバイス識別情報を含む、取得する段階と、
前記端末により、結び付け要求をサーバへ送信する段階であって、前記結び付け要求は、前記ウェアラブルデバイスの前記デバイス識別情報およびユーザアカウント情報を含み、前記結び付け要求は、前記サーバが前記ウェアラブルデバイスに関連付けられたユーザアカウントに対応するデバイス証明書を生成すること、および前記デバイス証明書を前記ウェアラブルデバイスへ提供することを可能にする、送信する段階と、
前記端末により、前記確立された接続を使用して、前記デバイス証明書を前記ウェアラブルデバイスへ伝送する段階であって、前記デバイス証明書は、前記ウェアラブルデバイスが、前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、伝送する段階と
を備える方法。
【請求項１５】
前記端末により、前記サーバが提供した前記デバイス証明書を受信する段階と、
前記端末により、前記確立された接続を使用して前記デバイス証明書を前記ウェアラブルデバイスへ転送する段階と
をさらに備える、請求項１４に記載の方法。
【請求項１６】
前記端末により、前記確立された接続を使用して前記ウェアラブルデバイスからサーバ側キーを受信する段階であって、前記サーバ側キーは、前記ウェアラブルデバイスに対する前記デバイス証明書を暗号化するために前記サーバによって使用される、受信する段階をさらに備える、請求項１４または請求項１５に記載の方法。
【請求項１７】
前記ウェアラブルデバイスのデバイス情報を取得する前記段階は、
前記端末により、前記ウェアラブルデバイスの画面に表示される２次元コードをスキャンする段階と、
前記端末により、前記スキャンされた２次元コードから前記ウェアラブルデバイスの前記デバイス情報を取得する段階と
を有する、請求項１４から請求項１６のいずれか１項に記載の方法。
【請求項１８】
電子決済を容易にするための方法であって、
ウェアラブルデバイスにより、端末から、前記ウェアラブルデバイスと前記端末との間に確立された接続に基づいて、前記ウェアラブルデバイスに関連付けられたユーザアカウントに対応するデバイス証明書を受信する段階と、
前記ウェアラブルデバイスにより、前記ウェアラブルデバイスに関連付けられた前記ユーザアカウントに対して記憶されたデバイス証明書に従って取引証明書を生成する段階であって、前記取引証明書は、前記ウェアラブルデバイスと前記端末との間に前記確立された接続が検出されない場合、前記ウェアラブルデバイスにより生成され得る、生成する段階と、
前記ウェアラブルデバイスにより、前記取引証明書を支払先デバイスへ提供する段階であって、前記取引証明書は、前記支払先デバイスが、前記デバイス証明書に対応する前記ユーザアカウントを使用して支払を処理するためのサーバへ前記取引証明書をアップロードすることを可能にする、提供する段階と
を備える方法。
【請求項１９】
前記記憶されたデバイス証明書は、暗号化アルゴリズムを使用して前記デバイス証明書を暗号化することにより作成されたデバイス証明書暗号化テキストであり、
取引証明書を生成する段階は、
前記ウェアラブルデバイスにより、前記デバイス証明書暗号化テキストを読み取る段階と、
前記ウェアラブルデバイスにより、復号化アルゴリズムに基づいて前記デバイス証明書暗号化テキストを復号化する段階と、
前記ウェアラブルデバイスにより、前記復号化されたデバイス証明書暗号化テキストから得られた前記デバイス証明書に従って前記取引証明書を生成する段階と
を有する、請求項１８に記載の方法。
【請求項２０】
前記ウェアラブルデバイスは、前記ユーザアカウントに対応するセキュリティ証明書をさらに記憶し、
取引証明書を生成する前記段階は、
検証情報を伝える取引証明書を証明書生成アルゴリズムを使用して生成する段階であって、前記取引証明書は、前記デバイス証明書および前記セキュリティ証明書に基づくものであり、前記証明書生成アルゴリズムは、前記取引証明書から前記デバイス証明書および前記セキュリティ証明書を検索するために前記サーバによって採用される証明書復元アルゴリズムに対応する、生成する段階を有する、請求項１８または請求項１９に記載の方法。
【請求項２１】
前記取引証明書は、２次元コードまたはバーコードを含む、請求項１８から請求項２０のいずれか１項に記載の方法。
【請求項２２】
電子決済を容易にするための方法であって、
サーバにより、支払先デバイスが送信した支払回収要求を受信する段階であって、前記支払回収要求は、ウェアラブルデバイスによって生成された取引証明書および支払総額情報を含み、前記取引証明書は、前記ウェアラブルデバイスと端末との間に利用可能な接続が検出されない場合、前記ウェアラブルデバイスにより生成され得る、受信する段階と、
前記サーバにより、前記ウェアラブルデバイスのデバイス証明書を前記取引証明書から復元する段階と、
前記サーバにより、前記ウェアラブルデバイスの前記デバイス証明書と前記サーバによって記憶されるユーザアカウントとの間の関係に基づいて、前記デバイス証明書に対応する前記ユーザアカウントを使用して前記支払総額情報に従い支払を処理する段階と
を備える方法。
【請求項２３】
前記ウェアラブルデバイスのデバイス証明書を前記取引証明書から復元する前記段階は、
前記取引証明書に証明書復元アルゴリズムを実行することにより前記ウェアラブルデバイスの前記デバイス証明書およびセキュリティ証明書を得る段階であって、前記証明書復元アルゴリズムは、前記取引証明書を生成するために前記ウェアラブルデバイスによって使用される証明書生成アルゴリズムに対応する、得る段階をさらに有し、
前記支払を処理する前記段階は、前記セキュリティ証明書を使用して前記取引証明書に検証を実行する段階、および、前記検証が成功した場合に、前記デバイス証明書に対応する前記ユーザアカウントを支払人として使用して前記支払総額情報に従い支払操作を実行する段階をさらに有する、請求項２２に記載の方法。
【請求項２４】
支払が成功したかどうかを示す結果を前記支払先デバイスへ返す段階をさらに備える、請求項２２または請求項２３に記載の方法。
【発明の詳細な説明】
【技術分野】
【０００１】
［関連出願の相互参照］
本出願は、「ウェアラブルデバイスを結び付けるための方法および装置、電子決済のための方法および装置」という発明の名称で２０１５年９月１１日に出願された中国特許出願第２０１５１０５７８５１１．６号、および、「ウェアラブルデバイスを使用した電子決済を容易にするための方法および装置」という発明の名称で２０１６年９月８日に出願された米国特許出願第１５／２５９，１９５号からの優先権の恩恵を主張する。両者は、参照によりその全体が本明細書に組み込まれる。
【背景技術】
【０００２】
本開示は、概して、電子決済技術の分野に関し、特に、電子決済処理を実行するために、ウェアラブルデバイスとサーバとの間を結び付けることの活用に関する。
【０００３】
ウェアラブルデバイスは、バンド、スマートウオッチ、スマートシューズ、スマート衣類、スマートグラス、スマートヘルメット、スマートリングなどのような、ユーザによって装着され得る、もしくは、ユーザの衣類またはアクセサリに統合され得るポータブルデバイスである。ウェアラブルデバイスは、以前にはパーソナルコンピューティングデバイスのものであった機能性をますます組み込んできており、有線または無線のインタフェースを通じて端末（例えば、スマートフォン、タブレットコンピュータ、およびパーソナルコンピュータ）に接続され得る。端末へのウェアラブルデバイスの接続を可能にすることにより、ウェアラブルデバイスは、端末とのデータ交換によってさらなる機能性を実装できる。
【０００４】
現在、ウェアラブルデバイスは電子決済処理に使用され得る。既存のシステムにおいては、ウェアラブルデバイスを使用してユーザが支払いを行いたい場合、ユーザは、まず、モバイルデバイスを介して、支払サービスを提供するサーバから支払コードを要求する。この要求に応答して、サーバは支払コードを生成し、モバイルデバイスへ支払コードを送信する。さらに、サーバは、支払コードとそのモバイルデバイスに関連付けられたユーザアカウントとの間の関係を記録する。次に、モバイルデバイスは受信した支払コードをウェアラブルデバイスへ転送し、ウェアラブルデバイスは支払コードを表示する。業者の支払先デバイスは、この支払コードをスキャンし、取引データ（例えば、支払コード、支払総額、および、その他の取引情報）をサーバへ送信する。サーバは、支払コードに対応する支払総額をユーザアカウントから引き落とし、この総額を業者のアカウントへと振り込み、それにより支払を完了させる。
【０００５】
上記にて説明される支払処理においては、ウェアラブルデバイスと携帯電話との間の接続が悪い場合、または、携帯電話とサーバとの間のネットワーク性能が悪い場合、ウェアラブルデバイスは、概して、支払コードを得ることができないか、または、支払コードを適時表示することができない。これにより、支払取引を失敗させる。
【発明の概要】
【０００６】
本開示の一態様が、ウェアラブルデバイスを結び付けるための方法に対して描写されている。この方法は、ウェアラブルデバイスと端末との間に接続を確立する段階、ウェアラブルデバイスのデバイス情報を端末へ提供する段階であって、このデバイス情報はデバイス識別情報を含む提供する段階、サーバからデバイス証明書を受信する段階であって、このデバイス証明書は、デバイス識別情報およびウェアラブルデバイスに関連付けられたユーザアカウントに基づいてサーバにより生成される受信する段階、および、デバイス証明書をウェアラブルデバイスに記憶する段階であって、このデバイス証明書はウェアラブルデバイスがユーザアカウントを使用して支払操作を実行することを可能にする記憶する段階を含む。ウェアラブルデバイスと端末との間に確立された接続が検出されない場合、この支払操作はウェアラブルデバイスによって実行され得る。そしてこの支払操作は、デバイス証明書に基づいて取引証明書を生成する段階、および、この取引証明書を支払先デバイスへ提供する段階を含む。
【０００７】
本開示の別の態様が、ウェアラブルデバイスを結び付けるための方法に対して描写されている。この方法は、ウェアラブルデバイスから端末を介して結び付け要求を受信する段階であって、この結び付け要求はウェアラブルデバイスのデバイス識別情報およびウェアラブルデバイスに関連付けられたユーザアカウント情報を含む受信する段階、デバイス識別情報およびウェアラブルデバイスに関連付けられたユーザアカウントに基づいてこのウェアラブルデバイスのデバイス証明書を生成する段階、デバイス証明書とこのウェアラブルデバイスに関連付けられたユーザアカウントとの間の関係を記憶する段階、および、このデバイス証明書をウェアラブルデバイスへ提供する段階であって、このデバイス証明書は、ウェアラブルデバイスがユーザアカウントを使用して支払操作を実行することを可能にする提供する段階を含む。ウェアラブルデバイスと端末との間に確立された接続が検出されない場合、この支払操作はウェアラブルデバイスによって実行され得る。
【０００８】
本開示の別の態様が、ウェアラブルデバイスを結び付けるための方法に対して描写されている。この方法は、ウェアラブルデバイスと端末との間に接続を確立する段階、ウェアラブルデバイスのデバイス情報を取得する段階であって、このデバイス情報はウェアラブルデバイスのデバイス識別情報を含む取得する段階、結び付け要求をサーバへ送信する段階であって、この結び付け要求はウェアラブルデバイスのデバイス識別情報およびユーザアカウント情報を含み、この結び付け要求は、サーバが、ウェアラブルデバイスに関連付けられたユーザアカウントに対応するデバイス証明書を生成することおよびこのデバイス証明書をウェアラブルデバイスへ提供することを可能にする送信する段階、および、確立された接続を使用してこのデバイス証明書をウェアラブルデバイスへ伝送する段階であって、このデバイス証明書は、ウェアラブルデバイスがユーザアカウントを使用して支払操作を実行することを可能にする伝送する段階を含む。ウェアラブルデバイスと端末との間に確立された接続が検出されない場合、この支払操作はウェアラブルデバイスによって実行され得る。
【０００９】
本開示の別の態様が、電子決済を容易にするための方法に対して描写されている。この方法は、ウェアラブルデバイスと端末との間に接続を確立する段階、このウェアラブルデバイスに関連付けられたユーザアカウントに対応するデバイス証明書を端末から受信する段階、このウェアラブルデバイスに関連付けられたユーザアカウントに対して記憶されるデバイス証明書に従って取引証明書を生成する段階であって、ウェアラブルデバイスと端末との間に確立された接続が検出されない場合、この取引証明書はウェアラブルデバイスによって生成され得る生成する段階、および、この取引証明書を支払先デバイスへ提供する段階であって、この取引証明書は、支払先デバイスが、デバイス証明書に対応するユーザアカウントを使用して支払を処理するためのサーバへこの取引証明書をアップロードすることを可能にする提供する段階を含む。
【００１０】
本開示の別の態様が、電子決済を容易にするための方法に対して描写されている。この方法は、支払先デバイスによって送信された支払回収要求を受信する段階であって、この支払回収要求は、ウェアラブルデバイスによって生成された取引証明書および支払総額情報を含む受信する段階、この取引証明書からウェアラブルデバイスのデバイス証明書を復元する段階、および、ウェアラブルデバイスのデバイス証明書とサーバによって記憶されるユーザアカウントとの間の関係に基づいて、このデバイス証明書に対応するユーザアカウントを支払人として使用し、支払総額情報に従い支払を処理する段階を含む。
【００１１】
本開示の別の態様が、電子決済を容易にするための方法に対して描写されている。この方法は、ウェアラブルデバイスの取引証明書を取得する段階であって、この取引証明書は、ウェアラブルデバイスに関連付けられたユーザアカウントに対応するデバイス証明書に従ってウェアラブルデバイスにより生成され、ウェアラブルデバイスと端末との間に利用可能な接続が検出されない場合、この取引証明書はウェアラブルデバイスによって生成され得る取得する段階、および、支払回収要求をサーバへ送信する段階であって、この支払回収要求は、ウェアラブルデバイスの取引証明書および支払総額情報を含み、この支払回収要求は、サーバが、この取引証明書からデバイス証明書を復元すること、および、デバイス証明書に対応するユーザアカウントを使用して、支払総額情報に従い支払操作を実行することを可能にするように構成される送信する段階を含む。
【００１２】
本開示の一態様がウェアラブルデバイスに対して描写されている。このウェアラブルデバイスは、１または複数のプロセッサ、およびコンピュータ実行可能命令を記憶する非一時的コンピュータ可読媒体を含む。１または複数のプロセッサによって実行された場合、これらの命令は、ウェアラブルデバイスに以下を行わせる。ウェアラブルデバイスと端末との間に接続を確立させること。ウェアラブルデバイスのデバイス情報を端末へ提供させること。このデバイス情報はデバイス識別情報を含む。サーバからデバイス証明書を受信させること。このデバイス証明書は、デバイス識別情報およびウェアラブルデバイスに関連付けられたユーザアカウントに基づいてサーバにより生成される。そして、このデバイス証明書をウェアラブルデバイスに記憶させること。このデバイス証明書は、ウェアラブルデバイスがユーザアカウントを使用して支払操作を実行することを可能にする。ウェアラブルデバイスと端末との間に確立された接続が検出されない場合、この支払操作はウェアラブルデバイスによって実行され得る。そしてこの支払操作は、ウェアラブルデバイスに、デバイス証明書に基づいて取引証明書を生成させ、この取引証明書を支払先デバイスへ提供させる。
【００１３】
本開示の別の態様がサーバに対して描写されている。このサーバは、１または複数のプロセッサ、およびコンピュータ実行可能命令を記憶する非一時的コンピュータ可読媒体を含む。１または複数のプロセッサによって実行された場合、これらの命令は、サーバに以下を行わせる。ウェアラブルデバイスから端末を介して結び付け要求を受信させること。この結び付け要求は、ウェアラブルデバイスのデバイス識別情報および端末からのユーザアカウント情報を含む。このデバイス識別情報に基づいてウェアラブルデバイスのデバイス証明書を生成させること。このデバイス証明書とウェアラブルデバイスに関連付けられたユーザアカウントとの間の関係を記憶させること。そして、このデバイス証明書をウェアラブルデバイスへ提供させること。このデバイス証明書は、ユーザアカウントを使用してウェアラブルデバイスが支払操作を実行することを可能にする。ウェアラブルデバイスと端末との間に利用可能な接続が検出されない場合、この支払操作はウェアラブルデバイスにより実行され得る。
【００１４】
本開示の別の態様が端末に対して描写されている。この端末は、１または複数のプロセッサ、およびコンピュータ実行可能命令を記憶する非一時的コンピュータ可読媒体を含む。１または複数のプロセッサによって実行された場合、これらの命令は、端末に以下を行わせる。ウェアラブルデバイスと端末との間に接続を確立させること。ウェアラブルデバイスのデバイス情報を取得させること。このデバイス情報はウェアラブルデバイスのデバイス識別情報を含む。結び付け要求をサーバへ送信させること。この結び付け要求はウェアラブルデバイスのデバイス識別情報およびユーザアカウント情報を含む。この結び付け要求は、サーバが、ウェアラブルデバイスに関連付けられたユーザアカウントに対応するデバイス証明書を生成すること、およびこのデバイス証明書をウェアラブルデバイスへ提供することを可能にする。そして、確立された接続を使用してこのデバイス証明書をウェアラブルデバイスへ伝送させること。このデバイス証明書は、ウェアラブルデバイスがユーザアカウントを使用して支払操作を実行することを可能にする。ウェアラブルデバイスと端末との間に確立された接続が検出されない場合、この支払操作はウェアラブルデバイスによって実行され得る。
【００１５】
本開示の別の態様がウェアラブルデバイスに対して描写されている。このウェアラブルデバイスは、１または複数のプロセッサ、およびコンピュータ実行可能命令を記憶する非一時的コンピュータ可読媒体を含む。１または複数のプロセッサによって実行された場合、これらの命令は、ウェアラブルデバイスに以下を行わせる。ウェアラブルデバイスと端末との間に接続を確立させること。このウェアラブルデバイスに関連付けられたユーザアカウントに対応するデバイス証明書を端末から受信させること。このウェアラブルデバイスに関連付けられたユーザアカウントに対して記憶されるデバイス証明書に従って取引証明書を生成させること。ウェアラブルデバイスと端末との間に確立された接続が検出されない場合、この取引証明書はウェアラブルデバイスによって生成され得る。そして、この取引証明書を支払先デバイスへ提供させること。この取引証明書は、支払先デバイスが、デバイス証明書に対応するユーザアカウントを使用して支払を処理するためのサーバへこの取引証明書をアップロードすることを可能にする。
【００１６】
本開示の別の態様がサーバに対して描写されている。このサーバは、１または複数のプロセッサ、およびコンピュータ実行可能命令を記憶する非一時的コンピュータ可読媒体を含む。１または複数のプロセッサによって実行された場合、これらの命令は、サーバに以下を行わせる。支払先デバイスが送信した支払回収要求を受信させること。この支払回収要求は、ウェアラブルデバイスによって生成された取引証明書および支払総額情報を含む。ウェアラブルデバイスと端末との間に利用可能な接続が検出されない場合、この取引証明書はウェアラブルデバイスによって生成され得る。この取引証明書からウェアラブルデバイスのデバイス証明書を復元させること。そして、ウェアラブルデバイスのデバイス証明書とサーバにより記憶されるユーザアカウントとの間の関係に基づいて、このデバイス証明書に対応するユーザアカウントを使用し、支払総額情報に従って支払を処理させること。
【００１７】
本開示の別の態様が支払先デバイスに対して描写されている。この支払先デバイスは、１または複数のプロセッサ、およびコンピュータ実行可能命令を記憶する非一時的コンピュータ可読媒体を含む。１または複数のプロセッサによって実行された場合、これらの命令は、支払先デバイスに以下を行わせる。ウェアラブルデバイスの取引証明書を取得させること。この取引証明書は、ウェアラブルデバイスに関連付けられたユーザアカウントに対応するデバイス証明書に従ってウェアラブルデバイスにより生成される。ウェアラブルデバイスと端末との間に利用可能な接続が検出されない場合、この取引証明書はウェアラブルデバイスによって生成され得る。そして、支払回収要求をサーバへ送信させること。この支払回収要求は、ウェアラブルデバイスの取引証明書および支払総額情報を含む。この支払回収要求は、サーバが、この取引証明書からデバイス証明書を復元すること、および、このデバイス証明書に対応するユーザアカウントを使用して、支払総額情報に従い支払操作を実行することを可能にするように構成される。
【００１８】
サーバによって生成されるデバイス証明書がウェアラブルデバイスに記憶されること、デバイス証明書とユーザアカウントとの間の対応がサーバ側にて確立されること、および、ウェアラブルデバイスは、端末またはサーバからリアルタイムで支払コードを受信する必要無く、デバイス証明書を使用して支払操作を実行できることが、本明細書にて説明される実施形態から理解され得る。従って、ユーザによって使用されるウェアラブルデバイスと端末との間の通信、または、端末とサーバとの間の通信が切断された場合であっても、ウェアラブルデバイスを使用して支払操作が依然として実行され得る。それにより、支払の成功率を改善し、ユーザにとって利便性の度合いが高まる。
【図面の簡単な説明】
【００１９】
【図１】本開示のいくつかの実施形態による、ウェアラブルデバイスと使用するためのネットワーク環境である。
【００２０】
【図２】本開示のいくつかの実施形態による、ウェアラブルデバイスの観点からウェアラブルデバイスを結び付けるための方法を図示するフロー図である。
【００２１】
【図３】本開示のいくつかの実施形態による、サーバの観点からウェアラブルデバイスを結び付けるための方法を図示するフロー図である。
【００２２】
【図４】本開示のいくつかの実施形態による、端末の観点からウェアラブルデバイスを結び付けるための方法を図示するフロー図である。
【００２３】
【図５】本開示のいくつかの実施形態による、ウェアラブルデバイスと使用するためのネットワーク環境である。
【００２４】
【図６】本開示のいくつかの実施形態による、ウェアラブルデバイスの観点から電子決済を容易にするための方法を図示するフロー図である。
【００２５】
【図７】本開示のいくつかの実施形態による、サーバの観点から電子決済を容易にするための方法を図示するフロー図である。
【００２６】
【図８】本開示のいくつかの実施形態による、端末の観点から電子決済を容易にするための方法を図示するフロー図である。
【００２７】
【図９】本開示のいくつかの実施形態による、ウェアラブルデバイスを結び付けるための方法を図示するスイムレーン図である。
【００２８】
【図１０】本開示のいくつかの実施形態による、端末にて結び付け処理を開始するためのインタフェースの図である。
【００２９】
【図１１】本開示のいくつかの実施形態による、ウェアラブルデバイスをスキャンしてデバイス情報を取得するようにユーザを促すためのインタフェースの図である。
【００３０】
【図１２】本開示のいくつかの実施形態による、ウェアラブルデバイスを使用して支払を実行するための方法を図示するスイムレーン図である。
【００３１】
【図１３】本開示のいくつかの実施形態による、ウェアラブルデバイス、端末、またはサーバの構造図である。
【００３２】
【図１４】本開示のいくつかの実施形態による、ウェアラブルデバイスに適用される、ウェアラブルデバイスを結び付けるための装置の構造図である。
【００３３】
【図１５】本開示のいくつかの実施形態による、サーバに適用される、ウェアラブルデバイスを結び付けるための装置の構造図である。
【００３４】
【図１６】本開示のいくつかの実施形態による、端末に適用される、ウェアラブルデバイスを結び付けるための装置の構造図である。
【００３５】
【図１７】本開示のいくつかの実施形態による、ウェアラブルデバイスに適用される、電子決済装置の構造図である。
【００３６】
【図１８】本開示のいくつかの実施形態による、サーバに適用される、電子決済装置の構造図である。
【００３７】
【図１９】本開示のいくつかの実施形態による、支払先デバイスに適用される、電子決済装置の構造図である。
【発明を実施するための形態】
【００３８】
本開示のこれらの目的、技術的解決手段、および利点をより明確にするため、本開示は、添付の図面および特定の実施形態を参照して、以下に詳細に説明される。
【００３９】
図１は、本開示のいくつかの実施形態による、ウェアラブルデバイスと使用するためのネットワーク環境を図示する。
【００４０】
図１に図示されるように、ウェアラブルデバイス１０は、ハードウェアインタフェースまたは無線ローカルネットワークを使用して端末３０に接続されてよい。ハードウェアインタフェースは、例えば、オーディオインタフェース、ユニバーサルシリアルバス（ＵＳＢ）インタフェース、または同様のものであってよい。無線ローカルネットワークは、例えば、Ｂｌｕｅｔｏｏｔｈ（登録商標）ネットワーク、８０２．１１ネットワーク（"Ｗｉ−Ｆｉ（登録商標）"）、ＺｉｇＢｅｅ（登録商標）ネットワーク、または同様のものであってよい。端末３０は、スマートフォン、タブレットコンピュータ、パーソナルコンピュータ、または同様のものであってよい。端末３０は、通信ネットワーク（例えば、インターネットまたはモバイル通信ネットワーク）を通じてサーバ２０と通信する。
【００４１】
いくつかの実施形態において、ウェアラブルデバイス１０はまた、Ｗｉ−Ｆｉ、モバイル通信ネットワーク、または同様のものを通じて、サーバ２０と直接通信してもよい。これらの実施形態において、端末３０の種類、それを通じてウェアラブルデバイス１０が端末３０に接続されるハードウェアインタフェースまたは無線ローカルネットワークのプロトコル、通信ネットワークのプロトコルおよびネットワーキング構造、サーバ２０の具体的な実装態様、および同様のものは、全て、本開示のこれらの実施形態に限定されない。
【００４２】
本開示のいくつかの実施形態において、サーバ２０は支払サービスを提供し、物理サーバまたは論理サーバであってよい。サーバ２０はまた、本開示のこれらの実施形態におけるサーバ２０の様々な役割を共有し、種々の機能を実装すべく協働する、２またはそれより多くの物理サーバまたは論理サーバであってよい。
【００４３】
図２から図４は、本開示のいくつかの実施形態による、ウェアラブルデバイスを結び付けるための方法を図示するフロー図である。
【００４４】
具体的に、図２は、本開示のいくつかの実施形態による、ウェアラブルデバイスの観点からウェアラブルデバイスを結び付けるための方法を図示するフロー図である。図３は、本開示のいくつかの実施形態による、サーバの観点からウェアラブルデバイスを結び付けるための方法を図示するフロー図である。図４は、本開示のいくつかの実施形態による、端末の観点からウェアラブルデバイスを結び付けるための方法を図示するフロー図である。
【００４５】
ステップ２１０において、この方法は、ウェアラブルデバイスから端末へデバイス情報を伝送する。一実施形態において、デバイス情報はデバイス識別情報を含み、端末がデバイス識別情報およびユーザアカウントをサーバへ送信することを可能にする。同様に、ステップ４１０において、ウェアラブルデバイスのデバイス情報が端末により受信される。このデバイス情報は、ウェアラブルデバイスのデバイス識別情報を含む。
【００４６】
ウェアラブルデバイスのデバイス識別情報は、ウェアラブルデバイスを一意に識別するために使用されてよく、様々な種類のデバイス、製造業者、および採用される無線ローカルネットワークプロトコルに応じて変化する。概して、それは、ウェアラブルデバイスのハードウェアアドレス（例えば、媒体アクセス制御アドレス）または製造業者によってそのウェアラブルデバイスに対して付与された識別子（例えば、汎用一意識別子）であってよい。ウェアラブルデバイスのデバイス情報は、ハードウェアモデル、ウェアラブルデバイスにインストールされたシステムソフトウェアのバージョン情報、ウェアラブルデバイスと端末との間で採用され得る接続の種類、および、それらの接続パラメータ、および同様のものをさらに含んでよい。
【００４７】
ウェアラブルデバイスは、ユーザによる予め定められた操作を受信後、デバイス情報を端末へ提供してよい。代替的に、または上記と共に、ウェアラブルデバイスは、端末からの要求があり次第デバイス情報を端末へ転送してよい。
【００４８】
現在のシステムにおいて、端末のオペレーティングシステムは、概して、１または複数の機能を使用して、特定の通信プロトコルに基づいてウェアラブルデバイスに接続する能力を有する。端末上の支払クライアントソフトウェアが、これらの機能を使用して、ウェアラブルデバイスからデバイス情報を読み出すこと、または受信することができる。しかしながら、これは、様々なオペレーティングシステムに応じて変化し、従って、クライアント固有であるクライアントソフトウェアの実装が必要である。この問題を回避すべく、本開示のいくつかの実施形態においてウェアラブルデバイスは、ユーザによる予め定められた操作を受信後、デバイス情報を含む２次元コードを生成し、端末でスキャンするために、この２次元コードを画面に表示してよい。これらの実施形態において端末は、ウェアラブルデバイスによって表示された２次元コードをスキャンし、この２次元コードからウェアラブルデバイスのデバイス情報を得る。
【００４９】
ステップ４２０においてこの方法は、端末からサーバへ結び付け要求を送信する。この結び付け要求は、ウェアラブルデバイスのデバイス識別情報およびユーザアカウントを含み、そのユーザアカウントに対応するデバイス証明書をサーバが生成することを可能にする。続いて、端末はこのデバイス証明書をウェアラブルデバイスへ提供する。
【００５０】
ウェアラブルデバイスは、概して、手動で情報を入力する能力をユーザに提供しない。従って、このウェアラブルデバイスを使用するユーザ（すなわち、この端末を使用するユーザ）に関連付けられた支払のためのサーバ上のユーザアカウントが、ユーザによって端末に入力され、記憶されてよい。端末は、ユーザアカウントとウェアラブルデバイスのデバイス識別情報とを結び付け要求中に組み合わせ、この結び付け要求をサーバへ送信する。ステップ３１０においてこの方法は、端末により送信された結び付け要求をサーバにて受信する。
【００５１】
ステップ３２０においてこの方法は、サーバにて、デバイス識別情報に基づいてウェアラブルデバイスのデバイス証明書を生成する。さらに、このデバイス証明書とユーザアカウントとの間の関係が（例えば、データベースに）記憶される。
【００５２】
端末によって送信された結び付け要求を受信後、サーバは、ウェアラブルデバイスのデバイス識別情報およびこのウェアラブルデバイスを使用するユーザのユーザアカウントを結び付け要求から抽出する。サーバは、このデバイス識別情報を入力として使用し、予め定められたマッピングアルゴリズムを実行することによって、ウェアラブルデバイスのデバイス証明書を得る。デバイス証明書は、１または複数の数字、文字、および記号を含む文字ストリングであってよい。もしくはデジタル証明書であってもまたよい。デバイス証明書の特定の実施形態は、本開示に限定されない。サーバは、異なるデバイス識別情報を異なるデバイス証明書に対してマッピングすることのできる任意のマッピングアルゴリズムを採用してよく、これもまた本開示に限定されない。
【００５３】
サーバは、ウェアラブルデバイスに対してサーバが生成したデバイス証明書と、このウェアラブルデバイスを使用するユーザアカウントとの間の関係を、アクセス可能な記憶位置、例えば、サーバ中にローカルに、ネットワークを通じてアクセス可能な記憶デバイス中に、または、クラウドストレージ中に記憶してよい。
【００５４】
ステップ３３０においてこの方法は、サーバからウェアラブルデバイスへデバイス証明書を提供する。これによりウェアラブルデバイスは、対応するユーザアカウントを使用して支払操作を実行してよい。
【００５５】
ステップ２２０においてこの方法は、ウェアラブルデバイスにてサーバからデバイス証明書を受信する。このデバイス証明書は、デバイス識別情報に従ってサーバにより生成され、このウェアラブルデバイスを使用するユーザアカウントに対応する。いくつかの実施形態において、まずサーバが端末へデバイス証明書を送信してよく、次に、端末がこのデバイス証明書をウェアラブルデバイスへ転送してよい。
【００５６】
いくつかの実施形態においてウェアラブルデバイスは、Ｗｉ−Ｆｉまたはモバイル通信ネットワークを通じて、サーバと直接通信できる。そのような状況において、ウェアラブルデバイスは、デバイスのデバイス情報を端末へ提供した後、認証要求をサーバへ送信してよい。この認証要求は、デバイスのデバイス識別情報を含む。次にサーバは、端末からの結び付け要求とウェアラブルデバイスからの認証要求の両者を受信してよい。結び付け要求と認証要求の両者は、ウェアラブルデバイスのデバイス識別情報を含んでよい。サーバは、このデバイス識別情報に対してサーバが生成したデバイス証明書を認証要求への応答中に含ませ、この応答をウェアラブルデバイスへ送信し、デバイス証明書と結び付け要求中のユーザアカウントとの間の関係を記憶する。ウェアラブルデバイスは、次に、サーバによって送信されたデバイスのデバイス証明書を受信する。
【００５７】
伝送の間のデバイス証明書のセキュリティを増大するため、いくつかの実施形態において、デバイス証明書は、サーバがデバイス証明書をウェアラブルデバイスへ伝送する前、および伝送する間は暗号化されてよい。いくつかの実施形態において、同一の、または対応する暗号化アルゴリズムおよび復号化アルゴリズムがウェアラブルデバイスおよびサーバに予め設定される。ウェアラブルデバイスは、デバイス証明書を暗号化するために使用されるデバイス側キーおよびサーバ側キーを生成する。採用される暗号化アルゴリズムおよび復号化アルゴリズムに応じて、デバイス側キーおよびサーバ側キーは同一であってよい。または、互いに関連したものであってよい。ウェアラブルデバイスは、デバイス側キーをローカルに記憶し、サーバ側キーをサーバへ提供する。ウェアラブルデバイスは、サーバ側キーを端末へ送信してよく、端末は、結び付け要求中にサーバ側キーを含め、この結び付け要求をサーバへ送信してよい。サーバは、ウェアラブルデバイスによって生成されたサーバ側キーをこの結び付け要求から得て、このサーバ側キーを使用してウェアラブルデバイスのデバイス証明書を暗号化し、暗号化されたデバイス証明書を端末へ送信する。端末はこれをウェアラブルデバイスへ転送する。ウェアラブルデバイスがサーバと直接通信することのできる実施形態において、ウェアラブルデバイスは、認証要求中にサーバ側キーを含め、この認証要求をサーバへ送信してよい。次にサーバは、サーバ側キーを使用してウェアラブルデバイスのデバイス証明書を暗号化し、認証要求に対する応答をウェアラブルデバイスへ返す。この応答は、暗号化されたデバイス証明書を含む。ウェアラブルデバイスは、サーバ側キーによって暗号化されたデバイス証明書をサーバから受信し、デバイス側キーを使用して復号化を実行した後、デバイス証明書を得る。
【００５８】
いくつかの実施形態において、同一の、または関連した暗号化アルゴリズムおよび復号化アルゴリズムがウェアラブルデバイスおよびサーバに予め設定される。サーバは、デバイス証明書の暗号化に使用されるデバイス側キーおよびサーバ側キーを生成してよい。次にサーバは、このデバイス側キーをウェアラブルデバイスへ提供してよい。サーバは、デバイス側キーを端末へ送信してよく、端末は、このキーをウェアラブルデバイスへ転送してよい。サーバがウェアラブルデバイスと直接通信することのできる実施形態においては、サーバはまた、デバイス側キーをウェアラブルデバイスへ直接送信してもよい。
【００５９】
ステップ２３０においてこの方法は、対応するユーザアカウントを使用して支払を実行するために、デバイス証明書をウェアラブルデバイスにてローカルに記憶する。ウェアラブルデバイスは、サーバによって生成されたデバイス証明書をローカルに記憶する。従って、このユーザアカウントに関連付けられたデバイス証明書を使用することで電子決済が可能となる。
【００６０】
暗号化アルゴリズムを使用してデバイス証明書を暗号化した後、デバイス証明書のセキュリティを向上させるべく、ウェアラブルデバイスは暗号化テキストをローカルに記憶してよい。デバイス証明書が使用される必要のある場合、ウェアラブルデバイスは、この暗号化テキストを復号化してよい。暗号化および復号化は、両者ともウェアラブルデバイスにてローカルに実行される。ウェアラブルデバイスによってサポートされる任意の暗号化アルゴリズムおよび復号化アルゴリズムが使用され得る。暗号化アルゴリズムおよび復号化アルゴリズムは、互いに同一であっても異なっていてもよく、本開示においては限定されない。
【００６１】
いくつかの実施形態において、支払処理のセキュリティを向上させるために、サーバは、ユーザアカウント毎に対応するセキュリティ証明書を生成してよい。デバイス証明書を供給する場合、サーバは、デバイス証明書とともにセキュリティ証明書をウェアラブルデバイスへ提供してよい。これらの実施形態においてサーバは、ユーザアカウント、デバイス証明書、およびセキュリティ証明書の間の関係を記憶する。デバイス証明書およびセキュリティ証明書を受信後、ウェアラブルデバイスはこれらをローカルに記憶する。セキュリティ証明書は、ウェアラブルデバイスの支払の間に、デバイス証明書にセキュリティ検証を実行するために使用される。その詳細な説明は、本明細書にて説明される実施形態を参照して得られるだろう。
【００６２】
いくつかの実施形態においてサーバは、ウェアラブルデバイスのデバイス識別情報に従ってデバイス証明書を生成し、このデバイス証明書を、端末によって提供されたウェアラブルデバイスを使用するユーザアカウントと結び付ける。ウェアラブルデバイスは、ユーザアカウントに対応するデバイス証明書を使用して支払を実行してよい。これにより、支払処理は端末の関与を必要としない。端末の関与を必要としないことにより、この方法は、端末とウェアラブルデバイスとの間および端末とサーバとの間の接続の強度またはネットワーク性能によって引き起こされる支払処理への影響を回避する。それにより、支払の成功率を改善し、より高い利便性をユーザに提供する。
【００６３】
図５は、本開示のいくつかの実施形態による、ウェアラブルデバイスと使用するためのネットワーク環境である。
【００６４】
ウェアラブルデバイス１０は、接続された態様または接続されていない態様で、支払先デバイス４０によりデータを伝送および受信してよい。接続された態様は、例えば、Ｗｉ−Ｆｉ、Ｂｌｕｅｔｏｏｔｈ（登録商標）、または同様なネットワークプロトコルを含んでよい。接続されていない態様は、例えば、光スキャンなどであってよい。支払先デバイス４０は、ウェアラブルデバイス１０からデータを取得し、通信ネットワークを通じてサーバ２０と通信できる。支払先デバイス４０は、単一のデバイスであってよい。または、上記の機能性を実装する多くのデバイスの組み合わせであってよい。支払先デバイス４０の種類およびコンポーネント、ウェアラブルデバイス１０と支払先デバイス４０との間のデータ伝送の態様、通信ネットワークのプロトコルおよびネットワーキング構造、サーバ２０の具体的な実装態様、および同様のものは、本開示の実施形態には限定されない。
【００６５】
いくつかの実施形態において、デバイス証明書がウェアラブルデバイスに記憶される。このデバイス証明書は、サーバにて支払を実行するのに使用されるユーザアカウントに対応する。そしてこのユーザアカウントは、そのウェアラブルデバイスを使用するユーザに属する。ウェアラブルデバイスのデバイス証明書とユーザアカウントとの間の関係は、サーバによってアクセス可能な記憶位置に記憶される。詳細な説明は、上記の実施形態を参照して得られるだろう。そして、分かりやすくするために、本明細書では繰り返さない。
【００６６】
図６から図８は、本開示のいくつかの実施形態による、電子決済を容易にするための方法を図示するフロー図である。
【００６７】
具体的に図６は、本開示のいくつかの実施形態による、ウェアラブルデバイスの観点から電子決済を容易にするための方法を図示するフロー図である。図７は、本開示のいくつかの実施形態による、サーバの観点から電子決済を容易にするための方法を図示するフロー図である。図８は、本開示のいくつかの実施形態による、端末の観点から電子決済を容易にするための方法を図示するフロー図である。
【００６８】
ステップ６１０においてこの方法は、ユーザから命令を受信後、ウェアラブルデバイスにて、記憶されたデバイス証明書に基づき取引証明書を生成する。ユーザがウェアラブルデバイスを使用して支払先に支払いたい場合、ステップ６１０において受信された命令は、ウェアラブルデバイスにて実行される支払操作の始まりであってよい。ウェアラブルデバイスはユーザの命令を受信し、記憶されたデバイス証明書を読み取り、取引証明書を生成する。
【００６９】
支払先デバイスの種類およびウェアラブルデバイスと支払先デバイスとの間の通信の態様に応じて、取引証明書は、文字ストリング、証明書、２次元コード、バーコード、および同様のものであってよい。この取引証明書は、支払人のアイデンティティ情報としてサーバへアップロードされる。サーバは逆方向に（すなわち、取引証明書から）デバイス証明書を算出し、このデバイス証明書に対応するユーザアカウントを支払人アカウントとして使用する。取引証明書を生成するための具体的なアルゴリズムは、実際の利用におけるデバイス証明書および取引証明書の形態に応じて選択されてよく、これは、逆のアルゴリズムを使用し、取引証明書に従ってサーバがデバイス証明書を得ることができる限り、本実施形態には限定されない。
【００７０】
いくつかの実施形態において、ウェアラブルデバイスによって記憶されたデバイス証明書は、暗号化アルゴリズムを使用して暗号化された後のデバイス証明書暗号化テキストである。ウェアラブルデバイスは、記憶されたデバイス証明書暗号化テキストを読み取り、対応する復号化アルゴリズムを使用して復号化を実行することでデバイス証明書を得る。そして、このデバイス証明書を使用して取引証明書を生成する。
【００７１】
本実施形態においてウェアラブルデバイスは、取引証明書を生成および提供するのに必要なハードウェア資源およびソフトウェア資源を有することに留意すべきである。例えば、取引証明書として２次元コードまたはバーコードを使用する実施形態において、ウェアラブルデバイスは、２次元コードまたはバーコードをはっきりと表示することのできる画面、十分なコンピューティング機能および記憶空間のような必要な任意のハードウェア資源、および、２次元コードまたはバーコードソフトウェアツールパッケージのようなソフトウェア資源を含んでよい。
【００７２】
ステップ６２０においてこの方法は、ウェアラブルデバイスにて、取引証明書を支払先デバイスへ提供する。これにより、支払先デバイスは、後で取引証明書をサーバへアップロードできる。サーバは、デバイス証明書が復元された後、対応するユーザアカウントを使用して支払を実行する。支払先デバイスおよびサーバでのアップロードおよび支払操作は、それぞれ、本明細書にてより完全に説明される。
【００７３】
ステップ８１０においてこの方法は、支払先デバイスにて、ウェアラブルデバイスの取引証明書を取得する。この取引証明書は、ユーザアカウントに対応するデバイス証明書に従って、ウェアラブルデバイスにより生成される。いくつかの実施形態においてウェアラブルデバイスは、ウェアラブルデバイスと支払先デバイスとの間の有線または無線の接続を使用して支払先デバイスへデバイス証明書を送信してよく、また、支払先デバイスがスキャンできるように画面にデバイス証明書を表示してもよい。
【００７４】
ステップ８２０においてこの方法は、支払先デバイスにて、支払回収要求をサーバへ送信する。この支払回収要求は、ウェアラブルデバイスの取引証明書および支払総額情報を含み、サーバが、取引証明書に従ってデバイス証明書を復元し、このデバイス証明書に対応するユーザアカウントを使用して支払総額情報に従い支払を実行することを可能にする。
【００７５】
ステップ７１０においてこの方法は、支払先デバイスによって送信された支払回収要求をサーバにて受信する。以前に説明されたように、支払先デバイスは、支払総額情報とウェアラブルデバイスから取得された取引証明書とを支払回収要求中に組み合わせ、この支払回収要求をサーバへ送信する。支払総額情報は支払金額を含み、支払に関連するその他の情報をさらに含んでよい。例えば、取引の支払に使用される場合、支払総額情報は、取引される商品またはサービスの名前、量、または金額をさらに含んでよい。支払回収要求は、支払先アカウントをさらに含んでよい。
【００７６】
ステップ７２０においてこの方法は、取引証明書に従ってウェアラブルデバイスのデバイス証明書をサーバにて復元する。デバイス証明書を生成するためにウェアラブルデバイスが使用するアルゴリズムに応じて、サーバは、逆のアルゴリズムを使用し、取引証明書からウェアラブルデバイスのデバイス証明書を復元してよい。
【００７７】
ステップ７３０においてこの方法は、デバイス証明書に対応するユーザアカウントを支払人として使用して、支払総額情報に従いサーバにて支払サービスを実行する。
【００７８】
ウェアラブルデバイスのデバイス証明書とユーザアカウントとの間の関係の記憶位置に従って、サーバは、復元されたデバイス証明書にどのユーザアカウントが関連付けられるのかを判断できる。サーバは、支払総額情報により決定される金額をデバイス証明書に対応するユーザアカウントから引き落とし、その金額を支払先アカウントへ支払い、それにより支払操作を完了させる。サーバは、支払が成功したかどうかを示す結果を支払先デバイスへ返す。
【００７９】
支払処理のセキュリティを増大させるため、いくつかの実施形態においてサーバは、ウェアラブルデバイスによって生成された取引証明書にセキュリティ検証を実行してよい。種々のセキュリティ検証の態様が支払処理に使用されてよい。これは、本開示に限定されない。
【００８０】
いくつかの実施形態において、結び付け処理においてデバイス証明書をウェアラブルデバイスへ供給する場合、サーバは、デバイス証明書とともに、対応するセキュリティ証明書をウェアラブルデバイスへ供給する。一実施形態において、ステップ６１０においてウェアラブルデバイスは、記憶されるデバイス証明書およびセキュリティ証明書に従い、証明書生成アルゴリズムを使用して、（検証情報を含む）取引証明書を生成する。ステップ７２０においてサーバは、取引証明書に従い、証明書復元アルゴリズムを使用して、ウェアラブルデバイスのデバイス証明書およびセキュリティ証明書を得る。ウェアラブルデバイスによって使用される証明書生成アルゴリズム、および、サーバによって使用される証明書復元アルゴリズムは、対応する暗号化／復号化アルゴリズムである。ステップ７３０においてサーバは、サーバ側に記憶されるセキュリティ証明書および復元されたセキュリティ証明書に従って、取引証明書（または、復元されたデバイス証明書）に検証を実行する。検証の成功後、復元されたデバイス証明書に対応するユーザアカウントを支払人として使用して、支払総額情報に従い支払を実施する。
【００８１】
上記の実施形態において、選択される証明書生成アルゴリズム、証明書復元アルゴリズム、およびこれら２つのアルゴリズムに適合するセキュリティ証明書は、実装環境における必要条件に応じて決定されてよく、本開示には限定されない。さらに、セキュリティ証明書は、検証の信頼性をさらに増大させるべく、時間とともに変わってよい。具体的に、ウェアラブルデバイスは、結び付け処理においてサーバと共に同期タイミング操作を開始してよい。ウェアラブルデバイスとサーバとに同一のセキュリティ証明書変更アルゴリズムが予め設定され、このアルゴリズムに従い、セキュリティ証明書は、予め定められた時間間隔で、ウェアラブルデバイス上とサーバ上とで同一値の別のものに変更される。このように、ステップ６１０においてウェアラブルデバイスにより生成された取引証明書は、予め定められた時間間隔内においてのみ有効であり、予め定められた時間間隔がひとたび終了するとサーバ上のセキュリティ証明書は変更される。これにより、この取引証明書はセキュリティ検証を合格することができない。従って、支払操作が実施され得ない。この例におけるセキュリティ証明書変更アルゴリズムは、当技術分野において既知である支払コードの支払コード生成アルゴリズムを使用して実施されてよく、本明細書では詳細に説明はしない。
【００８２】
いくつかの実施形態において、結び付け処理においてサーバは、ウェアラブルデバイスのデバイス識別情報、ユーザアカウント、およびデバイス証明書の間の関係を記憶する。ウェアラブルデバイスは、それらのデバイス識別情報、デバイス証明書、およびサーバによって供給されるセキュリティ証明書に従って取引証明書を生成する。このように、サーバは、取引証明書から復元されたデバイス識別情報を使用して、ウェアラブルデバイスにセキュリティ検証を実行できる。従って、デバイス識別情報およびセキュリティ証明書が不正なウェアラブルデバイスに組み込まれている場合であっても、ユーザが損失を被ることは無いだろう。
【００８３】
いくつかの実施形態においてウェアラブルデバイスは、ローカルに記憶されたデバイス証明書を使用して生成された取引証明書を使用して支払を実行する。サーバは、この取引証明書を使用してデバイス証明書を復元し、記憶されたデバイス証明書とユーザアカウントとの間の対応に従って、対応するユーザアカウントを支払人として使用して支払操作を実行する。ウェアラブルデバイスは、支払処理において、端末またはサーバと直接にデータを伝送する必要が無く、オフラインの状態で支払を実行できる。このように、ウェアラブルデバイスと端末との間で、および端末とサーバとの間で利用可能な接続が検出されない場合でも支払は影響されないだろう。それにより、支払の成功率を改善する。
【００８４】
本開示の一実施形態において、ユーザのウェアラブルデバイスが、Ｂｌｕｅｔｏｏｔｈ（登録商標）ネットワークを通じてこのユーザの端末へ接続され得る。この実施形態においては、端末およびウェアラブルデバイスに、それぞれ、同一の支払プラットフォームの支払クライアントアプリケーションがインストールされる。そして、端末上の支払アプリケーションは、モバイル通信ネットワークまたはＷｉ−Ｆｉを通じて、この支払プラットフォームのサーバと通信できる。
【００８５】
図９は、本開示のいくつかの実施形態による、ウェアラブルデバイスを結び付けるための方法を図示するスイムレーン図である。
【００８６】
端末にインストールされた支払アプリケーションをユーザが使用する場合、ログインするために、サーバに登録されたユーザアカウントおよびパスワードが入力される必要がある。ログイン後に、ユーザは、ウェアラブルデバイスを端末中の支払アプリケーションへ結び付ける処理を開始できる。端末にて結び付け処理を開始するためのインタフェースの一実施形態が図１０に図示される。図１０においては、ユーザが"結び付け開始"ボタンを押した場合、続いて、支払アプリケーションをどのように操作するのかをユーザに促す情報が端末に表示される。ウェアラブルデバイスをスキャンしてデバイス情報を取得するようにユーザを促すためのインタフェースの一実施形態が図１１に図示される。
【００８７】
図９に戻ると、ウェアラブルデバイス上の支払アプリケーションは、デバイス情報を使用して２次元コードを生成するための機能を提供する。ユーザがこの機能を起動させた後、ウェアラブルデバイスは、デバイス識別情報および（ウェアラブルデバイスとのＢｌｕｅｔｏｏｔｈ（登録商標）接続を実行するためのその他の接続パラメータを含む）その他のデバイス情報を示す２次元コードを表示する。
【００８８】
ユーザは、ウェアラブルデバイスに表示された２次元コードを端末を使用してスキャンし、ウェアラブルデバイスのデバイス情報を得る。端末はその中のデバイス情報を抽出し、一実施形態においては、ウェアラブルデバイスとのＢｌｕｅｔｏｏｔｈ（登録商標）接続を確立する。接続に成功した後、端末は、ウェアラブルデバイスへキー要求を送信する。ウェアラブルデバイスは、例えば非対称暗号化アルゴリズムを使用して対応するパブリックキーおよびプライベートキーを生成し、プライベートキーをデバイス側キーとしてローカルに記憶し、キー要求に対する応答においてパブリックキーをサーバ側キーとして端末へ送信する。
【００８９】
端末は、ウェアラブルデバイスのデバイス識別情報、端末がサーバにログインするためのユーザアカウント、およびパブリックキーを含む結び付け要求を生成し、この結び付け要求をサーバへ送信する。
【００９０】
サーバは、結び付け要求中のデバイス識別情報に基づいてデバイス証明書を生成し、ウェアラブルデバイスのためのセキュリティ証明書を指定し、デバイス証明書、セキュリティ証明書、および同一の結び付け要求中のユーザアカウントの間の関係を記憶する。サーバは、パブリックキーを使用してデバイス証明書を暗号化し、結び付け要求に対する応答であって、暗号化されたデバイス証明書およびセキュリティ証明書を含んだ応答を生成し、この応答を端末へ送信する。デバイス証明書を生成する前に、サーバは、セキュリティ確認を実行するためのユーザアカウントのパスワードの提供を端末に要求してよい。そして、端末が正しいパスワードを提供できない場合には、結び付け処理は失敗し、終了する。
【００９１】
結び付け要求に対する応答を受信後、端末は、例えばＢｌｕｅｔｏｏｔｈ（登録商標）接続を通じて、暗号化されたデバイス証明書をウェアラブルデバイスへ送信する。
【００９２】
ウェアラブルデバイスは、記憶されたプライベートキーを使用して、暗号化されたデバイス証明書を復号化し、デバイス証明書を得る。次に、ウェアラブルデバイスは、予め設定された暗号化アルゴリズムを使用してデバイス証明書を暗号化し、暗号化後、デバイス証明書暗号化テキストをローカルに記憶する。ウェアラブルデバイスおよびサーバは同期タイミングを開始し、このタイミングが開始された後、ウェアラブルデバイスとサーバとに予め設定された同一のセキュリティ証明書変更アルゴリズムに従って、ウェアラブルデバイスに記憶されたセキュリティ証明書とサーバに記憶されたセキュリティ証明書が、このタイミング間隔にわたって同期した同一の変更を受ける。従って、ユーザアカウントへのウェアラブルデバイスの結び付けが成功し、結び付け処理が終わる。
【００９３】
図１２は、本開示のいくつかの実施形態による、ウェアラブルデバイスを使用して支払を実行するための方法を図示するスイムレーン図である。
【００９４】
ユーザが所望する商品に対してウェアラブルデバイスを使用して業者に支払いたい場合、ユーザは、ウェアラブルデバイスの支払アプリケーションにて支払処理を開始してよい。支払処理を開始するための命令をユーザから受信後、ウェアラブルデバイスは、ローカルメモリからデバイス証明書暗号化テキストを読み取り、予め設定された復号化アルゴリズムを使用して暗号化テキストを復号化し、デバイス証明書を得る。証明書生成アルゴリズムを使用して、また、現在のタイミング間隔に適合するセキュリティ証明書およびデバイス証明書を入力として使用して、ウェアラブルデバイスは検証情報を含む取引証明書を得る。この取引証明書はバーコードの形態を取り、ウェアラブルデバイスはこのバーコードを画面に表示する。
【００９５】
このバーコードを業者の支払先デバイスがスキャンして、ウェアラブルデバイスによって生成された取引証明書を得る。次に支払先デバイスは、取引証明書、商品の名前および量または金額、取引総額、および同様のものを含む支払回収要求を生成し、この支払回収要求をサーバへ送信する。
【００９６】
サーバは、証明書復元アルゴリズムを使用して、取引証明書をデバイス証明書およびセキュリティ証明書へと復元する。サーバは、復元されたセキュリティ証明書を、そのタイミング間隔に適合するサーバ側のセキュリティ証明書と比較する。そして、これらの２つが同一である場合には取引証明書（または、復元されたデバイス証明書）の検証は成功となり、そうでない場合にはこの支払処理は失敗となる。デバイス証明書の検証が成功した場合、このデバイス証明書に関連付けられたユーザアカウントが検索され、このユーザアカウントを支払人として使用し、また、この業者のアカウントを支払先アカウントとして使用して、取引総額の支払が実行される。支払が実施される前に、サーバは、業者のアカウントが合法であるか、またはそうでないかを検証してよい。本実施形態において、業者アカウントの検証処理は従来の検証処理であってよく、本明細書にて詳細に説明はしない。
【００９７】
次にサーバは、この支払が成功して支払処理が終わるかどうかを示す通知メッセージを、業者の支払先デバイスへ送信する。
【００９８】
本開示の実施形態は、それぞれウェアラブルデバイス、端末、およびサーバに適用されるウェアラブルデバイスを結び付けるための３種類の装置、並びに、それぞれウェアラブルデバイス、支払先デバイス、およびサーバに適用される３種類の電子決済装置をさらに提供する。これら６種類の装置は、全てがソフトウェアによって実装されてよく、また、ハードウェアによって実装されてよい。もしくは、ソフトウェアとハードウェアの組み合わせで実施されてよい。これらの装置は、いくつかの実施形態において、上記にて説明された方法を実行するための適切なソフトウェアまたはプログラミングと一緒に、１または複数のプロセッサ、特定用途向け集積回路（ＡＳＩＣ）、またはフィールドプログラマブルゲートアレイ（ＦＰＧＡ）のようなプログラマブルロジックデバイス（ＰＬＤ）として実装される。従って、以下で説明される装置の各部は、いくつかの実施形態において、以下に説明される動作を実行するための適切なソフトウェアまたはプログラミングを実行する１または複数のプロセッサ、特定用途向け集積回路（ＡＳＩＣ）、またはフィールドプログラマブルゲートアレイ（ＦＰＧＡ）のようなプログラマブルロジックデバイス（ＰＬＤ）として実装される。ソフトウェア実装を例に取ると、ウェアラブルデバイス、端末、支払先デバイス、またはサーバの中央演算処理装置（ＣＰＵ）によって、コンピュータプログラム命令を、その命令が実行されるメモリへと読み取ることにより、論理的装置が形成される。ハードウェア５０の観点からすると、図１３に示されるＣＰＵ５１、メモリ５２、および不揮発性ストレージ５３に加えて、この装置が配置されるウェアラブルデバイスまたは端末の場合は、概して、無線信号を受信および伝送するために使用されるチップのようなその他のハードウェア５４をさらに含み、この装置が配置される支払先デバイスまたはサーバの場合は、概して、ネットワーク通信機能を実装するために使用されるボードまたはマイクロプロセッサのようなその他のハードウェアをさらに含む。
【００９９】
図１４は、本開示の実施形態において提供され、ウェアラブルデバイス１０に適用される、ウェアラブルデバイスを結び付けるための装置を示す。この装置は、デバイス情報提供部１１、デバイス証明書受信部１２、およびデバイス証明書記憶部１３を含む。デバイス情報提供部１１は、デバイスのデバイス情報を端末へ提供するために使用される。このデバイス情報はデバイス識別情報を含み、これにより端末は、デバイス識別情報およびこの端末を使用するユーザアカウントをサーバへ送信する。デバイス証明書受信部１２は、サーバからデバイス証明書を受信するために使用される。このデバイス証明書は、デバイス識別情報に従ってサーバにより生成され、ユーザアカウントとの対応を有する。デバイス証明書記憶部１３は、デバイス証明書をローカルに記憶するため、および、対応するユーザアカウントを使用して支払を実行するために使用される。
【０１００】
いくつかの実施形態においてデバイス情報提供部１１は、端末がスキャンするためのデバイス情報を伝える２次元コードを表示するために使用される。いくつかの実施形態においてデバイス証明書受信部１２は、端末によって転送されたサーバからのデバイス証明書を受信するために使用される。
【０１０１】
いくつかの実施形態においてこの装置は、認証要求をサーバへ送信するために使用される認証要求送信部をさらに含む。この要求は、デバイスのデバイス識別情報を含む。これらの実施形態においてデバイス証明書受信部１２は、サーバによって送信されるデバイスのデバイス証明書を受信するためにさらに使用される。
【０１０２】
いくつかの実施形態においてデバイス証明書受信部１２は、デバイス証明書およびセキュリティ証明書をサーバから受信するためにさらに使用される。このセキュリティ証明書は、支払の間にデバイス証明書に検証を実行するために使用される。
【０１０３】
いくつかの実施形態においてこの装置は、伝送の間にデバイス証明書を暗号化するためのデバイス側キーおよびサーバ側キーを生成し、デバイス側キーをローカルに記憶し、サーバ側キーをサーバへ提供するために使用される伝送キー部をさらに含む。デバイス側キーはサーバ側キーと同一である。またはサーバ側キーに対応する。サーバからのデバイス証明書は、サーバ側キーを使用して暗号化された、サーバからのデバイス証明書を含む。この装置は、デバイス証明書を得るべく、受信した暗号化されたデバイス証明書を、デバイス側キーを使用して復号化するために使用される伝送復号化部をさらに含んでよい。
【０１０４】
いくつかの実施形態においてデバイス証明書記憶部１３は、暗号化アルゴリズムを使用してデバイス証明書を暗号化し、暗号化テキストをローカルに記憶するために使用される。
【０１０５】
図１５は、本開示の実施形態において提供され、サーバ２０に適用される、ウェアラブルデバイスを結び付けるための装置を示す。
【０１０６】
この装置は、結び付け要求受信部２１、デバイス証明書生成部２２、およびデバイス証明書供給部２３を含む。結び付け要求受信部２１は、端末によって送信される結び付け要求を受信するために使用される。この結び付け要求は、ウェアラブルデバイスのデバイス識別情報およびこの端末を使用するユーザアカウントを含む。デバイス証明書生成部２２は、デバイス識別情報に従ってウェアラブルデバイスのデバイス証明書を生成するために使用され、デバイス証明書とユーザアカウントとの間の対応を記憶する。デバイス証明書供給部２３は、ウェアラブルデバイスへデバイス証明書を提供するために使用される。これにより、ウェアラブルデバイスは、対応するユーザアカウントを使用して支払を実行する。
【０１０７】
いくつかの実施形態においてデバイス証明書供給部２３は、端末へデバイス証明書を送信するためにさらに使用されてよく、端末は、次に、このデバイス証明書をウェアラブルデバイスへ転送する。
【０１０８】
いくつかの実施形態において結び付け要求は、ウェアラブルデバイスによって生成されたサーバ側キーをさらに含む。これらの実施形態において、デバイス証明書供給部２３は、サーバ側キーを使用してデバイス証明書を暗号化し、暗号化されたデバイス証明書を端末へ送信するためにさらに使用されてよい。端末は、次に、このデバイス証明書をウェアラブルデバイスへ転送する。
【０１０９】
いくつかの実施形態においてこの装置は、ウェアラブルデバイスによって送信された認証要求を受信するために使用される認証要求受信部をさらに含んでよい。この認証要求は、ウェアラブルデバイスのデバイス識別情報を含む。これらの実施形態において、デバイス証明書供給部２３は、認証要求に対する応答をウェアラブルデバイスへ返すためにさらに使用されてよい。この応答はデバイス証明書を含む。
【０１１０】
いくつかの実施形態において認証要求は、ウェアラブルデバイスによって生成されたサーバ側キーをさらに含む。この応答に含まれるデバイス証明書は、サーバ側キーによって暗号化されているデバイス証明書である。
【０１１１】
いくつかの実施形態においてデバイス証明書供給部２３は、デバイス証明書およびセキュリティ証明書をウェアラブルデバイスへ提供するためにさらに使用されてよい。このセキュリティ証明書は、支払の間にデバイス証明書に検証を実行するために使用される。
【０１１２】
図１６は、本開示の実施形態において提供され、端末３０に対して適用される、ウェアラブルデバイス１０を結び付けるための装置を示す。
【０１１３】
この装置は、デバイス情報取得部３１および結び付け要求送信部３２を含む。デバイス情報取得部３１は、ウェアラブルデバイス１０のデバイス情報を取得するために使用される。このデバイス情報は、ウェアラブルデバイス１０のデバイス識別情報を含む。結び付け要求送信部３２は、結び付け要求をサーバへ送信するために使用される。この結び付け要求は、ウェアラブルデバイス１０のデバイス識別情報および端末を使用するユーザアカウントを含む。これにより、サーバは、ユーザアカウントに対応するデバイス証明書を生成し、このデバイス証明書をウェアラブルデバイス１０へ提供する。このデバイス証明書は、対応するユーザアカウントを使用して支払を実行するためにウェアラブルデバイス１０によって使用される。
【０１１４】
いくつかの実施形態においてこの装置は、サーバが返したデバイス証明書を受信し、このデバイス証明書をウェアラブルデバイス１０へ転送するために使用されるデバイス証明書転送部をさらに含んでよい。
【０１１５】
いくつかの実施形態においてこの装置は、ウェアラブルデバイス１０からサーバ側キーを受信するために使用される伝送キー受信部をさらに含んでよい。このサーバ側キーは、ウェアラブルデバイス１０に供給されるデバイス証明書を暗号化するためにサーバによって使用される。この結び付け要求はさらにサーバ側キーを含む。
【０１１６】
いくつかの実施形態においてデバイス情報取得部３１は、ウェアラブルデバイス１０によって表示される２次元コードをスキャンし、ウェアラブルデバイス１０のデバイス情報を２次元コード情報から取得するためにさらに使用されてよい。
【０１１７】
図１７は、本開示の実施形態において提供され、ウェアラブルデバイス１０に対して適用される電子決済装置を示す。このウェアラブルデバイス１０は、ユーザアカウントに対応するデバイス証明書を記憶する。
【０１１８】
この装置は、取引証明書生成部１４および取引証明書提供部１５を含む。取引証明書生成部１４は、ユーザの命令を受信後、記憶されたデバイス証明書に従って取引証明書を生成するために使用される。取引証明書提供部１５は、この取引証明書を支払先デバイスへ提供するために使用される。これにより支払先デバイスは、デバイス証明書を復元した後、対応するユーザアカウントを使用して、支払を実施するサーバへこの取引証明書をアップロードする。
【０１１９】
いくつかの実施形態において、記憶されたデバイス証明書は、暗号化アルゴリズムを使用して暗号化されたデバイス証明書暗号化テキストである。取引証明書生成部１４は、次に、ユーザの命令を受信後、復号化を実行すべく、記憶されたデバイス証明書暗号化テキストを読み取り、復号化後に得られるデバイス証明書に従って取引証明書を生成するために使用されてよい。
【０１２０】
いくつかの実施形態においてウェアラブルデバイス１０は、ユーザアカウントに対応するセキュリティ証明書をさらに記憶する。取引証明書生成部１４は、次に、ユーザの命令を受信後、記憶されたデバイス証明書およびセキュリティ証明書に従い、証明書生成アルゴリズムを使用して、検証情報を伝える取引証明書を生成するために使用されてよい。この証明書生成アルゴリズムは、取引証明書に従ってデバイス証明書およびセキュリティ証明書を復元するためにサーバによって採用される証明書復元アルゴリズムに対応する。
【０１２１】
いくつかの実施形態においてこの取引証明書は、２次元コードまたはバーコードを含む。
【０１２２】
図１８は、本開示の実施形態において提供され、ウェアラブルデバイスのデバイス証明書とこのウェアラブルデバイスを使用するユーザアカウントとの間の対応を識別し得るサーバ２０に対して適用される電子決済装置を示す。
【０１２３】
この装置は、支払回収要求受信部２４、デバイス証明書復元部２５、および支払部２６を含む。支払回収要求受信部２４は、支払先デバイスによって送信される支払回収要求を受信するために使用される。この支払回収要求は、ウェアラブルデバイスによって生成された取引証明書および支払総額情報を含む。デバイス証明書復元部２５は、この取引証明書に従って、ウェアラブルデバイスのデバイス証明書を復元するために使用される。支払部２６は、このデバイス証明書に対応するユーザアカウントを支払人として使用して、支払総額情報に従い支払を実施するために使用される。
【０１２４】
いくつかの実施形態においてデバイス証明書復元部２５は、取引証明書に従い、証明書復元アルゴリズムを使用して、ウェアラブルデバイスのデバイス証明書およびセキュリティ証明書を得るために使用されてよい。この証明書復元アルゴリズムは、取引証明書を生成するためにウェアラブルデバイスによって採用される証明書生成アルゴリズムに対応する。いくつかの実施形態において支払部２６は、セキュリティ証明書を使用して取引証明書に検証を実行し、検証が成功した後、このデバイス証明書に対応するユーザアカウントを支払人として使用して、支払総額情報に従い支払を実行するために使用されてよい。
【０１２５】
いくつかの実施形態においてこの装置は、支払が成功したかどうかを示す結果を支払先デバイスへ返すために使用される支払結果送信部をさらに含む。
【０１２６】
図１９は、本開示の実施形態において提供され、支払先デバイス４０に適用される電子決済装置である。
【０１２７】
この装置は、取引証明書取得部４１および支払回収要求送信部４２を含む。取引証明書取得部４１は、ウェアラブルデバイスの取引証明書を取得するように構成される。この取引証明書は、ユーザアカウントに対応するデバイス証明書に従ってウェアラブルデバイスにより生成される。支払回収要求送信部４２は、支払回収要求をサーバへ送信するために使用される。この支払回収要求は、ウェアラブルデバイスの取引証明書および支払総額情報を含む。これによりサーバは、取引証明書に従ってデバイス証明書を復元し、このデバイス証明書に対応するユーザアカウントを使用して、支払総額情報に従い支払を実行する。
【０１２８】
いくつかの実施形態においてこの装置は、支払が成功したかどうかを示し、サーバが返す結果を受信するために使用される支払結果受信部をさらに含む。
【０１２９】
上記にて説明されたものは、本開示の好ましい実施形態にすぎず、本開示を限定することを意図するものではない。本開示の主旨および原則から逸脱することなく成されるあらゆる修正、均等な置き換え、改善などは、本開示の保護範囲に含まれるべきである。
【０１３０】
典型的な構成において、コンピュータデバイスは、１または複数のプロセッサ（ＣＰＵ）、入出力インタフェース、ネットワークインタフェース、およびメモリを含む。メモリは、揮発性メモリ、ランダムアクセスメモリ（ＲＡＭ）および／または不揮発性メモリ、または同様のもの、例えばリードオンリメモリ（ＲＯＭ）またはフラッシュＲＡＭのようなコンピュータ可読媒体を含んでよい。メモリは、コンピュータ可読媒体の例である。
【０１３１】
コンピュータ可読媒体は、不揮発性媒体および揮発性媒体、並びに、可動媒体および非可動媒体を含み、任意の方法または技術によって情報記憶を実装できる。情報は、コンピュータ可読命令、データ構造、およびプログラムまたはその他のデータのモジュールであってよい。コンピュータの記憶媒体の例は、相変化メモリ（ＰＲＡＭ）、スタティックランダムアクセスメモリ（ＳＲＡＭ）、ダイナミックランダムアクセスメモリ（ＤＲＡＭ）、その他の種類のＲＡＭ、ＲＯＭ、電気的消去可能プログラマブルリードオンリメモリ（ＥＥＰＲＯＭ）、フラッシュメモリもしくはその他のメモリ技術、コンパクトディスクリードオンリメモリ（ＣＤ−ＲＯＭ）、デジタル多用途ディスク（ＤＶＤ）もしくはその他の光ストレージ、カセットテープ、磁気テープ／磁気ディスクストレージもしくはその他の磁気記憶デバイス、または、コンピューティングデバイスによってアクセス可能な情報を記憶するために使用され得る任意の他の非伝送媒体を含むものの、これらには限定されない。このテキストの定義に従い、コンピュータ可読媒体は、変調データ信号および搬送波のような一時的な媒体を含まない。
【０１３２】
「含む」、「備える」といった用語、またはそれらの任意の他の変形形態は、非排他的な意味で「含む」ことを包含することが意図されており、これにより、一連の要素を含む処理、方法、商品、またはデバイスがこれらの要素を含むのみでなく、明示的に挙げられてはいないその他の要素もまた含むこと、または、その処理、方法、商品、またはデバイスの固有の要素もさらに含むことにさらに留意すべきである。さらなる限定が無い場合、「…を含む」といった表現によって定義される要素は、その要素を含む処理、方法、商品、またはデバイスにおいて、追加的な同一の要素の存在を排除するものではない。
【０１３３】
当業者であれば、本開示の実施形態が方法、システム、またはコンピュータプログラム製品として提供されてよいことを理解するはずである。従って、本開示は、純粋なハードウェアの実施形態として、純粋なソフトウェアの実施形態として、または、ソフトウェアとハードウェアを組み合わせる実施形態として実装されてよい。さらに、本開示は、コンピュータ利用可能なプログラムコードをその中に含む、１または複数のコンピュータ利用可能な記憶媒体（磁気ディスクメモリ、ＣＤ−ＲＯＭ、光学メモリ、および同様のものを含むが、これらには限定されない）に実装されるコンピュータプログラム製品の形態を採用してよい。
［項目１］
ウェアラブルデバイスを結び付けるための方法であって、
前記ウェアラブルデバイスにより、前記ウェアラブルデバイスと端末との間に確立された接続に基づいて前記ウェアラブルデバイスのデバイス情報を前記端末へ提供する段階であって、前記デバイス情報はデバイス識別情報を含む、提供する段階と、
前記ウェアラブルデバイスにより、サーバからデバイス証明書を受信する段階であって、前記デバイス証明書は、前記デバイス識別情報に基づいて前記サーバにより生成され、前記デバイス証明書は、前記ウェアラブルデバイスと関連付けられたユーザアカウントに対応する、受信する段階と、
前記ウェアラブルデバイスにより、前記デバイス証明書を前記ウェアラブルデバイスに記憶する段階であって、前記デバイス証明書は、前記ウェアラブルデバイスが前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、記憶する段階と、
を備え、
前記支払操作は、
前記ウェアラブルデバイスにより、前記デバイス証明書に基づいて取引証明書を生成する段階と、
前記ウェアラブルデバイスにより、前記取引証明書を支払先デバイスへ提供する段階と
を有する、方法。
［項目２］
前記ウェアラブルデバイスのデバイス情報を端末へ提供する段階は、前記端末がスキャンするための、前記デバイス情報を含む２次元コードを前記ウェアラブルデバイスの画面に表示する段階を有する、項目１に記載の方法。
［項目３］
サーバからデバイス証明書を受信する段階は、前記ウェアラブルデバイスと前記端末との間の前記接続を介して前記サーバから前記デバイス証明書を受信する段階を有する、項目１または項目２に記載の方法。
［項目４］
前記ウェアラブルデバイスにより、認証要求を前記サーバへ送信する段階であって、前記認証要求は前記ウェアラブルデバイスの前記デバイス識別情報を含む、送信する段階をさらに備える、項目１から項目３のいずれか１項に記載の方法。
［項目５］
サーバからデバイス証明書を受信する段階は、前記サーバから前記デバイス証明書およびセキュリティ証明書を受信する段階であって、前記セキュリティ証明書は、前記支払操作の間に前記デバイス証明書の検証を実行するために使用される、受信する段階を有する、項目１から項目４のいずれか１項に記載の方法。
［項目６］
前記ウェアラブルデバイスにより、伝送の間に前記デバイス証明書を暗号化するために使用されるデバイス側キーおよびサーバ側キーを生成する段階と、
前記ウェアラブルデバイスにより、前記デバイス側キーを前記ウェアラブルデバイスに記憶する段階であって、前記デバイス側キーは、前記サーバ側キーと同一であるか、または、前記サーバ側キーに基づいている、記憶する段階と、
前記ウェアラブルデバイスにより、前記サーバ側キーを前記サーバへ伝送する段階と、
前記ウェアラブルデバイスにより、前記デバイス側キーを使用して、前記サーバから受信した前記デバイス証明書を復号化することによって復号化されたデバイス証明書を生成する段階であって、前記サーバからの前記デバイス証明書は、前記サーバ側キーを使用して前記サーバにより暗号化される、生成する段階と
をさらに備える、項目１から項目５のいずれか１項に記載の方法。
［項目７］
前記デバイス証明書を記憶する前記段階は、
前記ウェアラブルデバイスにより、暗号化アルゴリズムを使用して前記デバイス証明書を暗号化し、暗号化テキストを作成する段階と、
前記ウェアラブルデバイスにより、前記暗号化テキストを前記ウェアラブルデバイスに記憶する段階と
を有する、項目１から項目６のいずれか１項に記載の方法。
［項目８］
ウェアラブルデバイスを結び付けるための方法であって、
サーバにより、端末を介して前記ウェアラブルデバイスから結び付け要求を受信する段階であって、前記結び付け要求は、前記ウェアラブルデバイスのデバイス識別情報および前記ウェアラブルデバイスに関連付けられたユーザアカウント情報を含む、受信する段階と、
前記サーバにより、前記デバイス識別情報に基づいて前記ウェアラブルデバイスのデバイス証明書を生成する段階であって、前記デバイス証明書は、前記ウェアラブルデバイスに関連付けられたユーザアカウントに対応する、生成する段階と、
前記サーバにより、前記デバイス証明書と前記ウェアラブルデバイスに関連付けられた前記ユーザアカウントとの間の関係を記憶する段階と、
前記サーバにより、前記デバイス証明書を前記ウェアラブルデバイスへ提供する段階であって、前記デバイス証明書は、前記ユーザアカウントを使用して前記ウェアラブルデバイスが支払操作を実行することを可能にし、前記支払操作は、前記ウェアラブルデバイスと前記端末との間に確立された接続が検出されない場合、前記ウェアラブルデバイスにより実行され得る、提供する段階と
を備える方法。
［項目９］
前記デバイス証明書を提供する前記段階は、前記端末を介して前記ウェアラブルデバイスへ前記デバイス証明書を送信する段階を有する、項目８に記載の方法。
［項目１０］
前記方法は、前記ウェアラブルデバイスにより、前記サーバへ送信されるサーバ側キーを生成する段階をさらに備え、
前記デバイス証明書を前記ウェアラブルデバイスへ提供する前記段階は、
前記サーバ側キーを使用して前記デバイス証明書を暗号化する段階と、
前記端末を介して、前記暗号化されたデバイス証明書を前記ウェアラブルデバイスへ送信する段階と
を有する、項目９に記載の方法。
［項目１１］
前記方法は、前記サーバにより、前記ウェアラブルデバイスが送信した認証要求を受信する段階であって、前記認証要求は、前記ウェアラブルデバイスの前記デバイス識別情報を含む、受信する段階をさらに備え、
前記デバイス証明書を前記ウェアラブルデバイスへ提供する段階は、前記認証要求に対する応答を前記ウェアラブルデバイスへ返す段階であって、前記応答は前記デバイス証明書を含む、返す段階を有する、項目８に記載の方法。
［項目１２］
前記認証要求は、前記ウェアラブルデバイスによって生成されたサーバ側キーをさらに含み、前記デバイス証明書は、前記サーバ側キーを使用して暗号化される、項目１１に記載の方法。
［項目１３］
前記デバイス証明書を前記ウェアラブルデバイスへ提供する段階は、セキュリティ証明書を前記ウェアラブルデバイスへ提供する段階であって、前記セキュリティ証明書は、前記支払操作の間に前記デバイス証明書に検証を実行するために使用される、提供する段階をさらに有する、項目８から項目１２のいずれか１項に記載の方法。
［項目１４］
ウェアラブルデバイスを結び付けるための方法であって、
端末により、ウェアラブルデバイスと前記端末との間の接続を確立する段階と、
前記端末により、前記ウェアラブルデバイスのデバイス情報を取得する段階であって、前記デバイス情報は前記ウェアラブルデバイスのデバイス識別情報を含む、取得する段階と、
前記端末により、結び付け要求をサーバへ送信する段階であって、前記結び付け要求は、前記ウェアラブルデバイスの前記デバイス識別情報およびユーザアカウント情報を含み、前記結び付け要求は、前記サーバが前記ウェアラブルデバイスに関連付けられたユーザアカウントに対応するデバイス証明書を生成すること、および前記デバイス証明書を前記ウェアラブルデバイスへ提供することを可能にする、送信する段階と、
前記端末により、前記確立された接続を使用して、前記デバイス証明書を前記ウェアラブルデバイスへ伝送する段階であって、前記デバイス証明書は、前記ウェアラブルデバイスが、前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、伝送する段階と
を備える方法。
［項目１５］
前記端末により、前記サーバが提供した前記デバイス証明書を受信する段階と、
前記端末により、前記確立された接続を使用して前記デバイス証明書を前記ウェアラブルデバイスへ転送する段階と
をさらに備える、項目１４に記載の方法。
［項目１６］
前記端末により、前記確立された接続を使用して前記ウェアラブルデバイスからサーバ側キーを受信する段階であって、前記サーバ側キーは、前記ウェアラブルデバイスに対する前記デバイス証明書を暗号化するために前記サーバによって使用される、受信する段階をさらに備える、項目１４または項目１５に記載の方法。
［項目１７］
前記ウェアラブルデバイスのデバイス情報を取得する前記段階は、
前記端末により、前記ウェアラブルデバイスの画面に表示される２次元コードをスキャンする段階と、
前記端末により、前記スキャンされた２次元コードから前記ウェアラブルデバイスの前記デバイス情報を取得する段階と
を有する、項目１４から項目１６のいずれか１項に記載の方法。
［項目１８］
電子決済を容易にするための方法であって、
ウェアラブルデバイスにより、端末から、前記ウェアラブルデバイスと前記端末との間に確立された接続に基づいて、前記ウェアラブルデバイスに関連付けられたユーザアカウントに対応するデバイス証明書を受信する段階と、
前記ウェアラブルデバイスにより、前記ウェアラブルデバイスに関連付けられた前記ユーザアカウントに対して記憶されたデバイス証明書に従って取引証明書を生成する段階であって、前記取引証明書は、前記ウェアラブルデバイスと前記端末との間に前記確立された接続が検出されない場合、前記ウェアラブルデバイスにより生成され得る、生成する段階と、
前記ウェアラブルデバイスにより、前記取引証明書を支払先デバイスへ提供する段階であって、前記取引証明書は、前記支払先デバイスが、前記デバイス証明書に対応する前記ユーザアカウントを使用して支払を処理するためのサーバへ前記取引証明書をアップロードすることを可能にする、提供する段階と
を備える方法。
［項目１９］
前記記憶されたデバイス証明書は、暗号化アルゴリズムを使用して前記デバイス証明書を暗号化することにより作成されたデバイス証明書暗号化テキストであり、
取引証明書を生成する段階は、
前記ウェアラブルデバイスにより、前記デバイス証明書暗号化テキストを読み取る段階と、
前記ウェアラブルデバイスにより、復号化アルゴリズムに基づいて前記デバイス証明書暗号化テキストを復号化する段階と、
前記ウェアラブルデバイスにより、前記復号化されたデバイス証明書暗号化テキストから得られた前記デバイス証明書に従って前記取引証明書を生成する段階と
を有する、項目１８に記載の方法。
［項目２０］
前記ウェアラブルデバイスは、前記ユーザアカウントに対応するセキュリティ証明書をさらに記憶し、
取引証明書を生成する前記段階は、
検証情報を伝える取引証明書を証明書生成アルゴリズムを使用して生成する段階であって、前記取引証明書は、前記デバイス証明書および前記セキュリティ証明書に基づくものであり、前記証明書生成アルゴリズムは、前記取引証明書から前記デバイス証明書および前記セキュリティ証明書を検索するために前記サーバによって採用される証明書復元アルゴリズムに対応する、生成する段階を有する、項目１８または項目１９に記載の方法。
［項目２１］
前記取引証明書は、２次元コードまたはバーコードを含む、項目１８から項目２０のいずれか１項に記載の方法。
［項目２２］
電子決済を容易にするための方法であって、
サーバにより、支払先デバイスが送信した支払回収要求を受信する段階であって、前記支払回収要求は、ウェアラブルデバイスによって生成された取引証明書および支払総額情報を含み、前記取引証明書は、前記ウェアラブルデバイスと端末との間に利用可能な接続が検出されない場合、前記ウェアラブルデバイスにより生成され得る、受信する段階と、
前記サーバにより、前記ウェアラブルデバイスのデバイス証明書を前記取引証明書から復元する段階と、
前記サーバにより、前記ウェアラブルデバイスの前記デバイス証明書と前記サーバによって記憶されるユーザアカウントとの間の関係に基づいて、前記デバイス証明書に対応する前記ユーザアカウントを使用して前記支払総額情報に従い支払を処理する段階と
を備える方法。
［項目２３］
前記ウェアラブルデバイスのデバイス証明書を前記取引証明書から復元する前記段階は、
前記取引証明書に証明書復元アルゴリズムを実行することにより前記ウェアラブルデバイスの前記デバイス証明書およびセキュリティ証明書を得る段階であって、前記証明書復元アルゴリズムは、前記取引証明書を生成するために前記ウェアラブルデバイスによって使用される証明書生成アルゴリズムに対応する、得る段階をさらに有し、
前記支払を処理する前記段階は、前記セキュリティ証明書を使用して前記取引証明書に検証を実行する段階、および、前記検証が成功した場合に、前記デバイス証明書に対応する前記ユーザアカウントを支払人として使用して前記支払総額情報に従い支払操作を実行する段階をさらに有する、項目２２に記載の方法。
［項目２４］
支払が成功したかどうかを示す結果を前記支払先デバイスへ返す段階をさらに備える、項目２２または項目２３に記載の方法。
［項目２５］
電子決済を容易にするための方法であって、
支払先デバイスにより、ウェアラブルデバイスの取引証明書を取得する段階であって、前記取引証明書は、前記ウェアラブルデバイスに関連付けられたユーザアカウントに対応するデバイス証明書に従って前記ウェアラブルデバイスによって生成され、前記取引証明書は、前記ウェアラブルデバイスと端末との間に利用可能な接続が検出されない場合、前記ウェアラブルデバイスにより生成され得る、取得する段階と、
前記支払先デバイスにより、支払回収要求をサーバへ送信する段階であって、前記支払回収要求は前記ウェアラブルデバイスの前記取引証明書および支払総額情報を含み、前記支払回収要求は、前記サーバが、前記取引証明書から前記デバイス証明書を復元すること、および前記デバイス証明書に対応する前記ユーザアカウントを使用して前記支払総額情報に従い支払操作を実行することを可能にするように構成される、送信する段階と
を備える方法。
［項目２６］
支払が成功したかどうかを示す、前記サーバが返す結果を、前記支払先デバイスにより受信する段階をさらに備える、項目２５に記載の方法。
【図１】
2019204556.tif 000003
【図２】
2019204556.tif 000004
【図３】
2019204556.tif 000005
【図４】
2019204556.tif 000006
【図５】
2019204556.tif 000007
【図６】
2019204556.tif 000008
【図７】
2019204556.tif 000009
【図８】
2019204556.tif 000010
【図９】
2019204556.tif 000011
【図１０】
2019204556.tif 000012
【図１１】
2019204556.tif 000013
【図１２】
2019204556.tif 000014
【図１３】
2019204556.tif 000015
【図１４】
2019204556.tif 000016
【図１５】
2019204556.tif 000017
【図１６】
2019204556.tif 000018
【図１７】
2019204556.tif 000019
【図１８】
2019204556.tif 000020
【図１９】
2019204556.tif 000021
【手続補正書】
【提出日】令和1年9月4日(2019.9.4)
【手続補正１】
【補正対象書類名】特許請求の範囲
【補正対象項目名】全文
【補正方法】変更
【補正の内容】
【特許請求の範囲】
【請求項１】
ウェアラブルデバイスのコンピュータプロセッサによって実行可能なコンピュータプログラム命令を有形的に記憶するための非一時的コンピュータ可読記憶媒体であって、前記コンピュータプログラム命令は、
前記ウェアラブルデバイスと端末との間に確立された接続に基づいて前記ウェアラブルデバイスのデバイス情報を前記端末へ提供する段階であって、前記デバイス情報はデバイス識別情報を含む、提供する段階と、
サーバからデバイス証明書を受信する段階であって、前記デバイス証明書は、前記デバイス識別情報に基づいて前記サーバにより生成され、前記デバイス証明書は、前記ウェアラブルデバイスと関連付けられたユーザアカウントに対応する、受信する段階と、
前記デバイス証明書を前記ウェアラブルデバイスに記憶する段階であって、前記デバイス証明書は、前記ウェアラブルデバイスが前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、記憶する段階と、
を備え、
前記支払操作は、
前記デバイス証明書に基づいて取引証明書を生成する段階と、
前記取引証明書を支払先デバイスへ提供する段階と
を定義する、非一時的コンピュータ可読記憶媒体。
【請求項２】
前記ウェアラブルデバイスのデバイス情報を端末へ提供する段階は、前記端末がスキャンするための、前記デバイス情報を含む２次元コードを前記ウェアラブルデバイスの画面に表示する段階を有する、請求項１に記載の非一時的コンピュータ可読記憶媒体。
【請求項３】
サーバからデバイス証明書を受信する段階は、前記ウェアラブルデバイスと前記端末との間の前記接続を介して前記サーバから前記デバイス証明書を受信する段階を有する、請求項１または２に記載の非一時的コンピュータ可読記憶媒体。
【請求項４】
前記コンピュータプログラム命令は、認証要求を前記サーバへ送信する段階であって、前記認証要求は前記ウェアラブルデバイスの前記デバイス識別情報を含む、送信する段階をさらに定義する、請求項１から請求項３のいずれか１項に記載の非一時的コンピュータ可読記憶媒体。
【請求項５】
サーバからデバイス証明書を受信する段階は、前記サーバから前記デバイス証明書およびセキュリティ証明書を受信する段階であって、前記セキュリティ証明書は、前記支払操作の間に前記デバイス証明書の検証を実行するために使用される、受信する段階を有する、請求項１から請求項４のいずれか１項に記載の非一時的コンピュータ可読記憶媒体。
【請求項６】
前記コンピュータプログラム命令は、
伝送の間に前記デバイス証明書を暗号化するために使用されるデバイス側キーおよびサーバ側キーを生成する段階と、
前記デバイス側キーを前記ウェアラブルデバイスに記憶する段階であって、前記デバイス側キーは、前記サーバ側キーと同一であるか、または、前記サーバ側キーに基づいている、記憶する段階と、
前記サーバ側キーを前記サーバへ伝送する段階と、
前記デバイス側キーを使用して、前記サーバから受信した前記デバイス証明書を復号化することによって復号化されたデバイス証明書を生成する段階であって、前記サーバからの前記デバイス証明書は、前記サーバ側キーを使用して前記サーバにより暗号化される、生成する段階と
をさらに定義する、請求項１から請求項５のいずれか１項に記載の非一時的コンピュータ可読記憶媒体。
【請求項７】
前記デバイス証明書を記憶する前記段階は、
暗号化アルゴリズムを使用して前記デバイス証明書を暗号化し、暗号化テキストを作成する段階と、
前記暗号化テキストを前記ウェアラブルデバイスに記憶する段階と
を有する、請求項１から請求項６のいずれか１項に記載の非一時的コンピュータ可読記憶媒体。
【請求項８】
サーバのコンピュータプロセッサによって実行可能なコンピュータプログラム命令を有形的に記憶するための非一時的コンピュータ可読記憶媒体であって、前記コンピュータプログラム命令は、
端末を介してウェアラブルデバイスから結び付け要求を受信する段階であって、前記結び付け要求は、前記ウェアラブルデバイスのデバイス識別情報および前記ウェアラブルデバイスに関連付けられたユーザアカウント情報を含む、受信する段階と、
前記デバイス識別情報に基づいて前記ウェアラブルデバイスのデバイス証明書を生成する段階であって、前記デバイス証明書は、前記ウェアラブルデバイスに関連付けられたユーザアカウントに対応する、生成する段階と、
前記デバイス証明書と前記ウェアラブルデバイスに関連付けられた前記ユーザアカウントとの間の関係を記憶する段階と、
前記デバイス証明書を前記ウェアラブルデバイスへ提供する段階であって、前記デバイス証明書は、前記ユーザアカウントを使用して前記ウェアラブルデバイスが支払操作を実行することを可能にし、前記支払操作は、前記ウェアラブルデバイスと前記端末との間に確立された接続が検出されない場合、前記ウェアラブルデバイスにより実行され得る、提供する段階と
を定義する、非一時的コンピュータ可読記憶媒体。
【請求項９】
前記デバイス証明書を提供する前記段階は、前記端末を介して前記ウェアラブルデバイスへ前記デバイス証明書を送信する段階を有する、請求項８に記載の非一時的コンピュータ可読記憶媒体。
【請求項１０】
前記コンピュータプログラム命令は、前記サーバへ送信されるサーバ側キーを生成する段階をさらに定義し、
前記デバイス証明書を前記ウェアラブルデバイスへ提供する前記段階は、
前記サーバ側キーを使用して前記デバイス証明書を暗号化する段階と、
前記端末を介して、前記暗号化されたデバイス証明書を前記ウェアラブルデバイスへ送信する段階と
を有する、請求項９に記載の非一時的コンピュータ可読記憶媒体。
【請求項１１】
前記コンピュータプログラム命令は、前記ウェアラブルデバイスが送信した認証要求を受信する段階であって、前記認証要求は、前記ウェアラブルデバイスの前記デバイス識別情報を含む、受信する段階をさらに定義し、
前記デバイス証明書を前記ウェアラブルデバイスへ提供する段階は、前記認証要求に対する応答を前記ウェアラブルデバイスへ返す段階であって、前記応答は前記デバイス証明書を含む、返す段階を有する、請求項８に記載の非一時的コンピュータ可読記憶媒体。
【請求項１２】
前記認証要求は、前記ウェアラブルデバイスによって生成されたサーバ側キーをさらに含み、前記デバイス証明書は、前記サーバ側キーを使用して暗号化される、請求項１１に記載の非一時的コンピュータ可読記憶媒体。
【請求項１３】
前記デバイス証明書を前記ウェアラブルデバイスへ提供する段階は、セキュリティ証明書を前記ウェアラブルデバイスへ提供する段階であって、前記セキュリティ証明書は、前記支払操作の間に前記デバイス証明書に検証を実行するために使用される、提供する段階をさらに有する、請求項８から請求項１２のいずれか１項に記載の非一時的コンピュータ可読記憶媒体。
【請求項１４】
端末のコンピュータプロセッサによって実行可能なコンピュータプログラム命令を有形的に記憶するための非一時的コンピュータ可読記憶媒体であって、前記コンピュータプログラム命令は、
ウェアラブルデバイスと前記端末との間の接続を確立する段階と、
前記ウェアラブルデバイスのデバイス情報を取得する段階であって、前記デバイス情報は前記ウェアラブルデバイスのデバイス識別情報を含む、取得する段階と、
結び付け要求をサーバへ送信する段階であって、前記結び付け要求は、前記ウェアラブルデバイスの前記デバイス識別情報およびユーザアカウント情報を含み、前記結び付け要求は、前記サーバが前記ウェアラブルデバイスに関連付けられたユーザアカウントに対応するデバイス証明書を生成すること、および前記デバイス証明書を前記ウェアラブルデバイスへ提供することを可能にする、送信する段階と、
前記確立された接続を使用して、前記デバイス証明書を前記ウェアラブルデバイスへ伝送する段階であって、前記デバイス証明書は、前記ウェアラブルデバイスが、前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、伝送する段階と
を定義する、非一時的コンピュータ可読記憶媒体。
【請求項１５】
前記コンピュータプログラム命令は、
前記サーバが提供した前記デバイス証明書を受信する段階と、
前記確立された接続を使用して前記デバイス証明書を前記ウェアラブルデバイスへ転送する段階と
をさらに定義する、請求項１４に記載の非一時的コンピュータ可読記憶媒体。
【請求項１６】
前記コンピュータプログラム命令は、前記確立された接続を使用して前記ウェアラブルデバイスからサーバ側キーを受信する段階であって、前記サーバ側キーは、前記ウェアラブルデバイスに対する前記デバイス証明書を暗号化するために前記サーバによって使用される、受信する段階をさらに定義する、請求項１４または１５に記載の非一時的コンピュータ可読記憶媒体。
【請求項１７】
前記ウェアラブルデバイスのデバイス情報を取得する前記段階は、
前記ウェアラブルデバイスの画面に表示される２次元コードをスキャンする段階と、
前記スキャンされた２次元コードから前記ウェアラブルデバイスの前記デバイス情報を取得する段階と
を有する、請求項１４から請求項１６のいずれか１項に記載の非一時的コンピュータ可読記憶媒体。
【請求項１８】
ウェアラブルデバイスのコンピュータプロセッサによって実行可能なコンピュータプログラム命令を有形的に記憶するための非一時的コンピュータ可読記憶媒体であって、前記コンピュータプログラム命令は、
端末から、前記ウェアラブルデバイスと前記端末との間に確立された接続に基づいて、前記ウェアラブルデバイスに関連付けられたユーザアカウントに対応するデバイス証明書を受信する段階と、
前記ウェアラブルデバイスに関連付けられた前記ユーザアカウントに対して記憶されたデバイス証明書に従って取引証明書を生成する段階であって、前記取引証明書は、前記ウェアラブルデバイスと前記端末との間に前記確立された接続が検出されない場合、前記ウェアラブルデバイスにより生成され得る、生成する段階と、
前記取引証明書を支払先デバイスへ提供する段階であって、前記取引証明書は、前記支払先デバイスが、前記デバイス証明書に対応する前記ユーザアカウントを使用して支払を処理するためのサーバへ前記取引証明書をアップロードすることを可能にする、提供する段階と
を定義する、非一時的コンピュータ可読記憶媒体。
【請求項１９】
前記記憶されたデバイス証明書は、暗号化アルゴリズムを使用して前記デバイス証明書を暗号化することにより作成されたデバイス証明書暗号化テキストであり、
取引証明書を生成する段階は、
前記デバイス証明書暗号化テキストを読み取る段階と、
復号化アルゴリズムに基づいて前記デバイス証明書暗号化テキストを復号化する段階と、
前記復号化されたデバイス証明書暗号化テキストから得られた前記デバイス証明書に従って前記取引証明書を生成する段階と
を有する、請求項１８に記載の非一時的コンピュータ可読記憶媒体。
【請求項２０】
前記ウェアラブルデバイスは、前記ユーザアカウントに対応するセキュリティ証明書をさらに記憶し、
取引証明書を生成する前記段階は、
検証情報を伝える取引証明書を証明書生成アルゴリズムを使用して生成する段階であって、前記取引証明書は、前記デバイス証明書および前記セキュリティ証明書に基づくものであり、前記証明書生成アルゴリズムは、前記取引証明書から前記デバイス証明書および前記セキュリティ証明書を検索するために前記サーバによって採用される証明書復元アルゴリズムに対応する、生成する段階を有する、請求項１８または１９に記載の非一時的コンピュータ可読記憶媒体。
【請求項２１】
前記取引証明書は、２次元コードまたはバーコードを含む、請求項１８から請求項２０のいずれか１項に記載の非一時的コンピュータ可読記憶媒体。
【請求項２２】
サーバのコンピュータプロセッサによって実行可能なコンピュータプログラム命令を有形的に記憶するための非一時的コンピュータ可読記憶媒体であって、前記コンピュータプログラム命令は、
支払先デバイスが送信した支払回収要求を受信する段階であって、前記支払回収要求は、ウェアラブルデバイスによって生成された取引証明書および支払総額情報を含み、前記取引証明書は、前記ウェアラブルデバイスと端末との間に利用可能な接続が検出されない場合、前記ウェアラブルデバイスにより生成され得る、受信する段階と、
前記ウェアラブルデバイスのデバイス証明書を前記取引証明書から復元する段階と、
前記ウェアラブルデバイスの前記デバイス証明書と前記サーバによって記憶されるユーザアカウントとの間の関係に基づいて、前記デバイス証明書に対応する前記ユーザアカウントを使用して前記支払総額情報に従い支払を処理する段階と
を定義する、非一時的コンピュータ可読記憶媒体。
【請求項２３】
前記ウェアラブルデバイスのデバイス証明書を前記取引証明書から復元する前記段階は、
前記取引証明書に証明書復元アルゴリズムを実行することにより前記ウェアラブルデバイスの前記デバイス証明書およびセキュリティ証明書を得る段階であって、前記証明書復元アルゴリズムは、前記取引証明書を生成するために前記ウェアラブルデバイスによって使用される証明書生成アルゴリズムに対応する、得る段階をさらに有し、
前記支払を処理する前記段階は、前記セキュリティ証明書を使用して前記取引証明書に検証を実行する段階、および、前記検証が成功した場合に、前記デバイス証明書に対応する前記ユーザアカウントを支払人として使用して前記支払総額情報に従い支払操作を実行する段階をさらに有する、請求項２２に記載の非一時的コンピュータ可読記憶媒体。
【請求項２４】
前記コンピュータプログラム命令は、支払が成功したかどうかを示す結果を前記支払先デバイスへ返す段階をさらに定義する、請求項２２または２３に記載の非一時的コンピュータ可読記憶媒体。
【請求項２５】
プロセッサと、
プロセッサにより実行されるためのプログラムロジックを有形的に記憶するための記憶媒体と
を備えるウェアラブルデバイスであって、
前記記憶されたプログラムロジックは、
前記ウェアラブルデバイスと端末との間に確立された接続に基づいて前記ウェアラブルデバイスのデバイス情報を前記端末へ提供する段階のためのロジックであって、前記デバイス情報はデバイス識別情報を含む、前記プロセッサにより実行されるロジックと、
サーバにより生成されたデバイス証明書を前記端末から受信する段階のためのロジックであって、前記デバイス証明書は、前記デバイス識別情報に基づいて前記サーバにより生成され、前記デバイス証明書は、前記ウェアラブルデバイスと関連付けられたユーザアカウントに対応する、前記プロセッサにより実行されるロジックと、
前記ウェアラブルデバイスに前記デバイス証明書を記憶する段階のためのロジックであって、前記デバイス証明書は、前記ウェアラブルデバイスが前記ユーザアカウントを使用して支払操作を実行することを可能にし、前記支払操作は、前記ウェアラブルデバイスと前記端末との間に前記確立された接続が検出されない場合、前記ウェアラブルデバイスにより実行可能であり、前記支払操作は、前記デバイス証明書に基づいて取引証明書を生成する段階であって、前記取引証明書は、前記ウェアラブルデバイスを識別する、生成する段階と、前記取引証明書を支払先デバイスに提供する段階と、を有する、前記プロセッサにより実行されるロジックと、
を有する、ウェアラブルデバイス。
【請求項２６】
前記ウェアラブルデバイスのデバイス情報を端末へ提供する段階は、前記端末がスキャンするための、前記デバイス情報を含む２次元コードを前記ウェアラブルデバイスの画面に表示する段階を有する、請求項２５に記載のウェアラブルデバイス。
【請求項２７】
サーバにより生成されたデバイス証明書を受信する段階は、前記ウェアラブルデバイスと端末との間の前記接続を介して前記サーバからデバイス証明書を受信する段階を有する、請求項２５に記載のウェアラブルデバイス。
【請求項２８】
前記記憶されたプログラムロジックは、認証要求を前記サーバに送信する段階のためのロジックであって、前記認証要求は、前記ウェアラブルデバイスの前記デバイス識別情報を含む、前記プロセッサにより実行されるロジックをさらに有する、請求項２７に記載のウェアラブルデバイス。
【請求項２９】
サーバにより生成されたデバイス証明書を受信する段階は、前記サーバから前記デバイス証明書およびセキュリティ証明書を受信する段階であって、前記セキュリティ証明書は、前記支払操作の間に前記デバイス証明書の検証を実行するために使用される、受信する段階を有する、請求項２７に記載のウェアラブルデバイス。
【請求項３０】
前記記憶されたプログラムロジックは、
伝送の間に前記デバイス証明書を暗号化するために使用されるデバイス側キーおよびサーバ側キーを生成する段階のための、前記プロセッサにより実行されるロジックと、
前記デバイス側キーを前記ウェアラブルデバイスに記憶する段階のためのロジックであって、前記デバイス側キーは、前記サーバ側キーと同一であるか、または、前記サーバ側キーに基づいている、前記プロセッサにより実行されるロジックと、
前記サーバ側キーを前記サーバへ伝送する、前記プロセッサにより実行されるロジックと、
前記デバイス側キーを使用して、前記サーバから受信した前記デバイス証明書を復号化することによって復号化されたデバイス証明書を生成する段階のためのロジックであって、前記サーバからの前記デバイス証明書は、前記サーバ側キーを使用して前記サーバにより暗号化される、前記プロセッサにより実行されるロジックと
をさらに有する、請求項２７に記載のウェアラブルデバイス。
【請求項３１】
前記デバイス証明書を記憶する前記段階は、
暗号化アルゴリズムを使用して前記デバイス証明書を暗号化し、暗号化テキストを作成する段階と、
前記暗号化テキストを前記ウェアラブルデバイスに記憶する段階と
を有する、請求項２７に記載のウェアラブルデバイス。
【請求項３２】
プロセッサと、
前記プロセッサにより実行されるためのプログラムロジックを有形的に記憶するための記憶媒体と
と備えるサーバであって、
前記記憶されたプログラムロジックは、
端末を介してウェアラブルデバイスから結び付け要求を受信する段階のためのロジックであって、前記結び付け要求は、前記ウェアラブルデバイスのデバイス識別情報および前記ウェアラブルデバイスに関連付けられたユーザアカウント情報を含む、前記プロセッサにより実行されるロジックと、
前記デバイス識別情報に基づいて前記ウェアラブルデバイスのデバイス証明書を生成する段階のためのロジックであって、前記デバイス証明書は、前記ウェアラブルデバイスに関連付けられたユーザアカウントに対応する、前記プロセッサにより実行されるロジックと、
前記デバイス証明書と前記ウェアラブルデバイスに関連付けられた前記ユーザアカウントとの間の関係を記憶する、前記プロセッサにより実行されるロジックと、
前記端末を介して前記デバイス証明書を前記ウェアラブルデバイスへ提供する段階のためのロジックであって、前記デバイス証明書は、前記ユーザアカウントを使用して前記ウェアラブルデバイスが支払操作を実行することを可能にする、前記プロセッサにより実行されるロジックと、
ユーザアカウントのためのロジックであって、前記支払操作は、前記ウェアラブルデバイスと前記端末との間に確立された接続が検出されない場合、前記ウェアラブルデバイスにより実行され得る、前記プロセッサにより実行されるロジックと、
を有する、サーバ。
【請求項３３】
前記デバイス証明書を提供する前記段階は、前記端末を介して前記ウェアラブルデバイスへ前記デバイス証明書を送信する段階を有する、請求項３２に記載のサーバ。
【請求項３４】
前記記憶されたプログラムロジックは、前記サーバへ送信されるサーバ側キーを生成する段階のための、前記プロセッサにより実行されるロジックをさらに有し、
前記デバイス証明書を前記ウェアラブルデバイスへ提供する前記段階は、
前記サーバ側キーを使用して前記デバイス証明書を暗号化する段階のための、前記プロセッサにより実行されるロジックと、
前記端末を介して、前記暗号化されたデバイス証明書を前記ウェアラブルデバイスへ送信する段階のための、前記プロセッサにより実行されるロジックと
を有する、請求項３３に記載のサーバ。
【請求項３５】
前記記憶されたプログラムロジックは、前記ウェアラブルデバイスが送信した認証要求を受信する段階のためのロジックであって、前記認証要求は、前記ウェアラブルデバイスの前記デバイス識別情報を含む、前記プロセッサにより実行されるロジックをさらに有し、
前記デバイス証明書を前記ウェアラブルデバイスへ提供する段階は、前記認証要求に対する応答を前記ウェアラブルデバイスへ返す段階であって、前記応答は前記デバイス証明書を含む、返す段階を有する、請求項３４に記載のサーバ。
【請求項３６】
前記認証要求は、前記ウェアラブルデバイスによって生成されたサーバ側キーをさらに含み、前記デバイス証明書は、前記サーバ側キーを使用して暗号化される、請求項３５に記載のサーバ。
【請求項３７】
前記デバイス証明書を前記ウェアラブルデバイスへ提供する段階は、セキュリティ証明書を前記ウェアラブルデバイスへ提供する段階であって、前記セキュリティ証明書は、前記支払操作の間に前記デバイス証明書に検証を実行するために使用される、提供する段階をさらに有する、請求項３４に記載のサーバ。
【請求項３８】
プロセッサと、
前記プロセッサにより実行されるためのプログラムロジックを有形的に記憶するための記憶媒体と
を備える端末であって、
前記記憶されたプログラムロジックは、
ウェアラブルデバイスと前記端末との間の接続を確立する段階のための、前記プロセッサにより実行されるロジックと、
前記ウェアラブルデバイスのデバイス情報を取得する段階のためのロジックであって、前記デバイス情報は前記ウェアラブルデバイスのデバイス識別情報を含む、前記プロセッサにより実行されるロジックと、
結び付け要求をサーバへ送信する段階のためのロジックであって、前記結び付け要求は、前記ウェアラブルデバイスの前記デバイス識別情報およびユーザアカウント情報を含み、前記結び付け要求は、前記サーバが前記ウェアラブルデバイスに関連付けられたユーザアカウントに対応するデバイス証明書を生成すること、および前記デバイス証明書を前記ウェアラブルデバイスへ提供することを可能にする、前記プロセッサにより実行されるロジックと、
前記確立された接続を使用して、前記デバイス証明書を前記ウェアラブルデバイスへ伝送する段階のためのロジックであって、前記デバイス証明書は、前記ウェアラブルデバイスが、前記ユーザアカウントを使用して支払操作を実行することを可能にし、前記支払操作は、前記ウェアラブルデバイスと前記端末との間に前記確立された接続が検出されない場合、前記ウェアラブルデバイスにより実行され得る、前記プロセッサにより実行されるロジックと
を有する、端末。
【請求項３９】
前記記憶されたプログラムロジックは、
前記サーバが提供した前記デバイス証明書を受信する段階のための、前記プロセッサにより実行されるロジックと、
前記確立された接続を使用して前記デバイス証明書を前記ウェアラブルデバイスへ転送する段階のための、前記プロセッサにより実行されるロジックと
をさらに有する、請求項３８に記載の端末。
【請求項４０】
前記記憶されたプログラムロジックは、前記確立された接続を使用して前記ウェアラブルデバイスからサーバ側キーを受信する段階のためのロジックであって、前記サーバ側キーは、前記ウェアラブルデバイスに対する前記デバイス証明書を暗号化するために前記サーバによって使用される、前記プロセッサにより実行されるロジックをさらに有する、請求項３８に記載の端末。
【請求項４１】
前記ウェアラブルデバイスのデバイス情報を取得する段階のための前記ロジックは、
前記ウェアラブルデバイスの画面に表示される２次元コードをスキャンする段階のための、前記プロセッサにより実行されるロジックと、
前記スキャンされた２次元コードから前記ウェアラブルデバイスの前記デバイス情報を取得する段階のための、前記プロセッサにより実行されるロジックと
を有する、請求項４０に記載の端末。
【請求項４２】
プロセッサと、
プロセッサにより実行されるためのプログラムロジックを有形的に記憶するための記憶媒体と
を備えるウェアラブルデバイスであって、
前記記憶されたプログラムロジックは、
サーバにより生成され、前記ウェアラブルデバイスと関連付けられたユーザアカウントに対応するデバイス証明書を、端末から、前記ウェアラブルデバイスと前記端末との間に確立された接続に基づいて受信する段階のための、前記プロセッサにより実行されるロジックと、
前記ウェアラブルデバイスを識別する取引証明書を、前記ウェアラブルデバイスに関連付けられた前記ユーザアカウントに対して記憶されたデバイス証明書に従って生成する段階のためのロジックであって、前記取引証明書は、前記ウェアラブルデバイスと端末との間に前記確立された接続が検出されない場合、前記ウェアラブルデバイスにより生成され得る、前記プロセッサにより実行されるロジックと、
前記取引証明書を支払先デバイスへ提供する段階のためのロジックであって、前記取引証明書は、前記支払先デバイスが、前記デバイス証明書に対応する前記ユーザアカウントを使用して支払を処理するためのサーバへ前記取引証明書をアップロードすることを可能にする、前記プロセッサにより実行されるロジックと
を有する、ウェアラブルデバイス。
【請求項４３】
前記記憶されたデバイス証明書は、暗号化アルゴリズムを使用して前記デバイス証明書を暗号化することにより作成されたデバイス証明書暗号化テキストであり、
取引証明書を生成する段階のための前記ロジックは、
前記デバイス証明書暗号化テキストを読み取る段階のための、前記プロセッサにより実行されるロジックと、
復号化アルゴリズムに基づいて前記デバイス証明書暗号化テキストを復号化する段階のための、前記プロセッサにより実行されるロジックと、
前記復号化されたデバイス証明書暗号化テキストから得られた前記デバイス証明書に従って前記取引証明書を生成する段階のための、前記プロセッサにより実行されるロジックと
を有する、請求項４２に記載のウェアラブルデバイス。
【請求項４４】
前記ウェアラブルデバイスは、前記ユーザアカウントに対応するセキュリティ証明書をさらに記憶し、
取引証明書を生成する段階のための前記ロジックは、
検証情報を伝える取引証明書を証明書生成アルゴリズムを使用して生成する段階のためのロジックであって、前記取引証明書は、前記デバイス証明書および前記セキュリティ証明書に基づくものであり、前記証明書生成アルゴリズムは、前記取引証明書から前記デバイス証明書および前記セキュリティ証明書を検索するために前記サーバによって採用される証明書復元アルゴリズムに対応する、前記プロセッサにより実行されるロジックを有する、請求項４２に記載のウェアラブルデバイス。
【請求項４５】
前記取引証明書は、二次元コードまたはバーコードを含む、請求項４４に記載のウェアラブルデバイス。
【請求項４６】
プロセッサと、
プロセッサにより実行されるためのプログラムロジックを有形的に記憶するための記憶媒体と
を備えるサーバであって、
前記記憶されたプログラムロジックは、
支払先デバイスが送信した支払回収要求を受信する段階のためのロジックであって、前記支払回収要求は、ウェアラブルデバイスを識別する、前記ウェアラブルデバイスによって生成された取引証明書と、支払総額情報とを含み、前記取引証明書は、前記ウェアラブルデバイスと端末との間に利用可能な接続が検出されない場合、前記ウェアラブルデバイスにより生成され得る、前記プロセッサにより実行されるロジックと、
前記ウェアラブルデバイスのデバイス証明書を前記取引証明書から復元する段階のための、前記プロセッサにより実行されるロジックと、
前記ウェアラブルデバイスの前記デバイス証明書と前記サーバによって記憶されるユーザアカウントとの間の関係に基づいて、前記デバイス証明書に対応する前記ユーザアカウントを使用して前記支払総額情報に従い支払を処理する段階のための、前記プロセッサにより実行されるロジックと
を有する、サーバ。
【請求項４７】
前記ウェアラブルデバイスのデバイス証明書を前記取引証明書から復元する段階のための前記ロジックは、
前記取引証明書に証明書復元アルゴリズムを実行することにより前記ウェアラブルデバイスの前記デバイス証明書およびセキュリティ証明書を得る段階のためのロジックであって、前記証明書復元アルゴリズムは、前記取引証明書を生成するために前記ウェアラブルデバイスによって使用される証明書生成アルゴリズムに対応する、前記プロセッサにより実行されるロジックをさらに有し、
前記支払を処理する段階のための前記ロジックは、前記セキュリティ証明書を使用して前記取引証明書に検証を実行する段階、および、前記検証が成功した場合に、前記デバイス証明書に対応する前記ユーザアカウントを支払人として使用して前記支払総額情報に従い支払操作を実行する段階のための、前記プロセッサにより実行されるロジックをさらに有する、請求項４６に記載のサーバ。
【請求項４８】
前記記憶されたプログラムロジックは、支払が成功したかどうかを示す結果を前記支払先デバイスへ返す段階のための、前記プロセッサにより実行されるロジックをさらに有する、請求項４６に記載のサーバ。
【外国語明細書】
2019204556000001.pdf